(57)【要約】  インター予測のための参照映像を決定する方法及びそれによるインター予測方法に係り、現在スライスがＢスライスである場合、現在予測単位が利用した参照ピクチャリストを決定し、現在予測単位の大きさが４Ｘ８または８Ｘ４であるならば、Ｌ０リスト及びＬ１リストのうち１つの参照ピクチャリストを示す現在予測単位のインター予測インデックス情報を出力し、現在予測単位の大きさが４Ｘ８または８Ｘ４ではなければ、Ｌ０リスト、Ｌ１リスト及び双リストのうち１つの参照ピクチャリストを示すインター予測インデックス情報を出力するインター予測方法を提案する。
2015526012.tif 000002
【特許請求の範囲】
【請求項１】
動き予測方法において、
現在スライスがＢスライスである場合、符号化単位に含まれた予測単位のうち現在予測単位が利用した参照ピクチャリストを決定する段階と、
前記現在予測単位の大きさが４Ｘ８または８Ｘ４であるならば、Ｌ０リスト及びＬ１リストのうち１つの参照ピクチャリストを示す前記現在予測単位のインター予測インデックス情報を出力し、前記現在予測単位の大きさが４Ｘ８または８Ｘ４ではなければ、Ｌ０リスト、Ｌ１リスト及び双リストのうち１つの参照ピクチャリストを示す前記インター予測インデックス情報を出力する段階と、を含むことを特徴とする動き予測方法。
【請求項２】
前記動き予測方法は、
前記現在スライスで、サイズ４Ｘ８またはサイズ８Ｘ４の予測単位について、前記Ｌ０リスト及びＬ１リストを含む前記双リストを参照するインター予測が許容されないか否かということを決定する段階と、
前記現在スライスのスライスヘッダに、前記サイズ４Ｘ８またはサイズ８Ｘ４の予測単位について、前記双リストを参照するインター予測が許容されないということを示す双予測制限情報を挿入する段階と、をさらに含むことを特徴とする請求項１に記載の動き予測方法。
【請求項３】
前記現在予測単位のインター予測インデックス情報を出力する段階は、
前記現在予測単位の大きさが４Ｘ８または８Ｘ４であるならば、前記現在予測単位のための参照ピクチャリストが、前記双リストを除いた参照ピクチャリストであるということを示す前記インター予測インデックス情報を出力する段階を含むことを特徴とする請求項１に記載の動き予測方法。
【請求項４】
前記出力する段階は、
前記現在予測単位の大きさが４Ｘ８または８Ｘ４であるならば、前記参照ピクチャリストが双リストであるということを示す情報に対する二進化動作を省略することを特徴とする請求項１に記載の動き予測方法。
【請求項５】
前記動き予測方法は、
前記インター予測インデックスが示す参照ピクチャリストに属する復元映像のうち、前記現在予測単位のインター予測のための参照ブロックを決定する段階と、
前記現在予測単位と前記参照ブロックとの空間距離を示す動きベクトルと、前記現在予測単位と前記参照ブロックとのピクセル値差を示す残差成分と、を決定する段階と、をさらに含み、
前記出力する段階は、
前記参照ピクチャリストに属する復元映像のうち、前記参照ブロックを含む復元映像を示す参照インデックス情報、前記現在予測単位の動きベクトルと以前動きベクトルとの差分を示す動きベクトル差分情報、及び前記残差成分を出力する段階をさらに含むことを特徴とする請求項１に記載の動き予測方法。
【請求項６】
動き補償方法において、
現在スライスがＢスライスである場合、符号化単位に含まれた予測単位のうち現在予測単位が利用する参照ピクチャリストの種類によって示すインター予測インデックス情報を獲得する段階と、
前記現在予測単位の大きさが４Ｘ８または８Ｘ４であるならば、Ｌ０リスト及びＬ１リストのうち一つであるということを示す前記インター予測インデックス情報に基づいて、前記現在予測単位の参照ピクチャリストを決定し、前記現在予測単位の大きさが４Ｘ８または８Ｘ４ではなければ、Ｌ０リスト、Ｌ１リスト及び双リストのうち一つであるということを示す前記インター予測インデックス情報に基づいて、前記現在予測単位の参照ピクチャリストを決定する段階と、を含むことを特徴とする動き補償方法。
【請求項７】
前記動き補償方法は、
前記現在スライスのスライスヘッダから、前記サイズ４Ｘ８またはサイズ８Ｘ４の予測単位について、前記双リストを参照するインター予測が許容されるか否かということを示す双予測制限情報をパージングする段階と、
前記パージングされた双予測制限情報に基づいて、前記現在スライスで、サイズ４Ｘ８またはサイズ８Ｘ４の予測単位について、前記Ｌ０リスト及びＬ１リストを含む前記双リストを参照するインター予測が許容されないか否かということを決定する段階と、をさらに含むことを特徴とする請求項６に記載の動き補償方法。
【請求項８】
前記インター予測インデックス情報を獲得する段階は、
前記現在予測単位の大きさが４Ｘ８または８Ｘ４であるならば、前記ビットストリームからパージングされた二進化ビット列から、前記参照ピクチャリストが双リストであるということを示す情報を判読する動作を省略することを特徴とする請求項６に記載の動き補償方法。
【請求項９】
前記決定する段階は、
前記現在予測単位の大きさが４Ｘ８または８Ｘ４であるならば、前記インター予測インデックス情報から、前記双リストを除いた参照ピクチャリストを判読する段階を含み、
前記現在予測単位の大きさが４Ｘ８または８Ｘ４であるならば、前記インター予測インデックス情報が、前記双リストを示すか否かということを確認する動作を省略することを特徴とする動き請求項６に記載の補償方法。
【請求項１０】
前記動き補償方法は、
前記インター予測インデックスが示す参照ピクチャリストに基づいて、決定された前記現在予測単位の参照インデックス、動きベクトル差分情報をさらに獲得する段階と、
前記符号化単位のパーティションタイプ情報を獲得する段階と、
前記パーティションタイプ情報に基づいて、前記予測単位の大きさ及び形態を決定する段階と、を含むことを特徴とする請求項６に記載の動き補償方法。
【請求項１１】
前記動き補償方法は、
前記決定された参照ピクチャリストに基づいて、先に復元された参照映像のうち、前記現在予測単位の参照インデックスが示す参照映像を決定し、前記参照映像のうち、前記現在予測単位の動きベクトルが示す参照ブロックを決定する段階と、
前記参照ブロックと前記現在予測単位との残差成分を合成し、前記現在予測単位を復元する段階と、をさらに含むことを特徴とする請求項６に記載の動き補償方法。
【請求項１２】
動き予測装置において、
現在スライスがＢスライスである場合、符号化単位に含まれた予測単位のうち現在予測単位が利用する参照ピクチャリストを決定し、前記参照ピクチャリストに属する復元映像のうち、前記現在予測単位のための参照ブロックを決定する動き予測部と、
前記現在予測単位の大きさが４Ｘ８または８Ｘ４であるならば、Ｌ０リスト及びＬ１リストのうち一つを示す前記現在予測単位のインター予測インデックス情報を出力し、前記現在予測単位の大きさが４Ｘ８または８Ｘ４ではなければ、Ｌ０リスト、Ｌ１リスト及び双リストのうち１つの参照ピクチャリストを示す前記現在予測単位のインター予測インデックス情報を出力するインター予測情報出力部と、を含むことを特徴とする動き予測装置。
【請求項１３】
動き補償装置において、
現在スライスがＢスライスである場合、符号化単位に含まれた予測単位のうち現在予測単位が利用する参照ピクチャリストの種類によって示すインター予測インデックス情報を獲得するインター予測情報獲得部と、
前記現在予測単位の大きさが４Ｘ８または８Ｘ４であるならば、Ｌ０リスト及びＬ１リストのうち一つであるということを示す前記インター予測インデックス情報に基づいて、前記現在予測単位の参照ピクチャリストを決定し、前記現在予測単位の大きさが４Ｘ８または８Ｘ４ではなければ、Ｌ０リスト、Ｌ１リスト及び双リストのうち一つであるということを示す前記インター予測インデックス情報に基づいて、前記現在予測単位の参照ピクチャリストを決定し、前記決定された参照ピクチャリストを利用して、前記現在予測単位について動き補償を行う動き補償部と、を含むことを特徴とする動き補償装置。
【請求項１４】
請求項１に記載の動き予測方法を具現するためのコンピュータプログラムが記録された記録媒体。
【請求項１５】
請求項６に記載の動き補償方法を具現するためのコンピュータプログラムが記録された記録媒体。
【発明の詳細な説明】
【技術分野】
【０００１】
本発明は、インター予測を伴うビデオ符号化及びビデオ復号化に関する。
【背景技術】
【０００２】
高解像度ビデオコンテンツまたは高画質ビデオコンテンツを再生、保存することができるハードウェアの開発及び普及によって、高解像度ビデオコンテンツまたは高画質ビデオコンテンツを効果的に符号化／復号化するビデオコーデックの必要性が増大している。既存のビデオコーデックによれば、ビデオは、所定サイズのマクロブロックに基づいて制限された符号化方式によって符号化されている。
【０００３】
ビデオコーデックは、ビデオの映像が時間的または空間的に、互いに相関性が高いという特徴を利用して、予測技法を利用してデータ量を低減させる。予測技法によれば、周辺映像を利用して現在映像を予測するために、映像間の時間的距離または空間的距離、予測誤差などを利用して、映像情報が記録される。
【発明の概要】
【発明が解決しようとする課題】
【０００４】
本発明は、インター予測のための参照ピクチャリストを決定する方法、及びそれによるインター予測方法を提案する。また、本発明は、参照ピクチャリスト情報を効率的に符号化して伝送するビデオ符号化方法と、参照ピクチャリスト情報を受信して判読するビデオ復号化方法とを提案する。
【課題を解決するための手段】
【０００５】
本発明の一実施形態による動き予測方法は、現在スライスがＢスライスである場合、符号化単位に含まれた予測単位のうち現在予測単位が利用した参照ピクチャリストの種類によって示すインター予測インデックスを決定する段階と、前記現在予測単位の大きさが４Ｘ８または８Ｘ４であるならば、Ｌ０リスト及びＬ１リストのうち１つの参照ピクチャリストを示す前記現在予測単位のインター予測インデックス情報を出力し、前記現在予測単位の大きさが４Ｘ８または８Ｘ４ではなければ、Ｌ０リスト、Ｌ１リスト及び双リストのうち１つの参照ピクチャリストを示す前記インター予測インデックス情報を出力する段階と、を含む。
【発明の効果】
【０００６】
本発明の一実施形態による動き予測技法によれば、予測単位の大きさが４ｘ８または８ｘ４である場合、双方向インター予測のための参照ピクチャリストが双リストであるということを示すシンボルコーディングを省略することができる。不要な参照ピクチャリスト関連情報の伝送過程が省略されるので、伝送ビット量が軽減される。同様に、一実施形態による動き補償技法によれば、予測単位の大きさが４ｘ８または８ｘ４である場合、双方向インター予測のための参照ピクチャリストが双リストであるか否かということを確認する過程が省略されるので、データパージング過程も短縮される。
【図面の簡単な説明】
【０００７】
【図１Ａ】一実施形態による参照映像決定装置のブロック図である。
【図１Ｂ】一実施形態による参照映像決定方法のフローチャートである。
【図２Ａ】一実施形態による参照映像決定装置を含む動き予測装置のブロック図である。
【図２Ｂ】一実施形態による動き予測方法のフローチャートである。
【図３Ａ】一実施形態による参照映像決定装置を含む動き補償装置のブロック図である。
【図３Ｂ】一実施形態による動き補償方法のフローチャートである。
【図４】イントラ予測インデックス情報の２つの実施形態を図示する図面である。
【図５】本発明の一実施形態による、ツリー構造による符号化単位に基づいたビデオ予測を伴うビデオ符号化装置のブロック図である。
【図６】本発明の一実施形態による、ツリー構造による符号化単位に基づいたビデオ予測を伴うビデオ復号化装置のブロック図である。
【図７】本発明の一実施形態による符号化単位の概念を図示する図面である。
【図８】本発明の一実施形態による、符号化単位に基づいた映像符号化部のブロック図である。
【図９】本発明の一実施形態による、符号化単位に基づいた映像復号化部のブロック図である。
【図１０】本発明の一実施形態による、深度別符号化単位及びパーティションを図示する図面である。
【図１１】本発明の一実施形態による、符号化単位及び変換単位の関係を図示する図面である。
【図１２】本発明の一実施形態による深度別符号化情報を図示する図面である。
【図１３】本発明の一実施形態による深度別符号化単位を図示する図面である。
【図１４】本発明の一実施形態による、符号化単位、予測単位及び変換単位の関係を図示する図面である。
【図１５】本発明の一実施形態による、符号化単位、予測単位及び変換単位の関係を図示する図面である。
【図１６】本発明の一実施形態による、符号化単位、予測単位及び変換単位の関係を図示する図面である。
【図１７】表１の符号化モード情報による、符号化単位、予測単位及び変換単位の関係を図示する図面である。
【図１８】一実施形態によるプログラムが保存されたディスクの物理的構造を例示する図面である。
【図１９】ディスクを利用してプログラムを記録して判読するためのディスクドライブを図示する図面である。
【図２０】コンテンツ流通サービス（content  distribution  service）を提供するためのコンテンツ供給システム（content  supply  system）の全体的構造を図示する図面である。
【図２１】一実施形態による、本発明のビデオ符号化方法及びビデオ復号化方法が適用される携帯電話の外部構造を図示する図面である。
【図２２】一実施形態による、本発明のビデオ符号化方法及びビデオ復号化方法が適用される携帯電話の内部構造を図示する図面である。
【図２３】本発明による通信システムが適用されたデジタル放送システムを図示する図面である。
【図２４】本発明の一実施形態による、ビデオ符号化装置及びビデオ復号化装置を利用するクラウドコンピューティングシステムのネットワーク構造を図示する図面である。
【発明を実施するための形態】
【０００８】
本発明の一実施形態による動き予測方法は、現在スライスがＢスライスである場合、符号化単位に含まれた予測単位のうち現在予測単位が利用した参照ピクチャリストの種類によって示すインター予測インデックスを決定する段階と、前記現在予測単位の大きさが４Ｘ８または８Ｘ４であるならば、Ｌ０リスト及びＬ１リストのうち１つの参照ピクチャリストを示す前記現在予測単位のインター予測インデックス情報を出力し、前記現在予測単位の大きさが４Ｘ８または８Ｘ４ではなければ、Ｌ０リスト、Ｌ１リスト及び双リストのうち１つの参照ピクチャリストを示す前記インター予測インデックス情報を出力する段階と、を含む。
【０００９】
一実施形態による前記動き予測方法は、前記現在スライスで、サイズ４Ｘ８またはサイズ８Ｘ４の予測単位に対して、前記Ｌ０リスト及びＬ１リストを含む前記双リストを参照するインター予測が許容されないか否かということを決定する段階と、前記現在スライスのスライスヘッダに、前記サイズ４Ｘ８またはサイズ８Ｘ４の予測単位に対して、前記双リストを参照するインター予測が許容されないということを示す双予測（bi-prediction）制限情報を挿入する段階と、をさらに含んでもよい。
【００１０】
一実施形態による前記現在予測単位のインター予測インデックス情報を出力する段階は、前記現在予測単位の大きさが４Ｘ８または８Ｘ４であるならば、前記現在予測単位のための参照ピクチャリストが、前記双リストを除いた参照ピクチャリストであるということを示す前記インター予測インデックス情報を出力する段階を含んでもよい。
【００１１】
一実施形態による前記出力する段階は、前記現在予測単位の大きさが４Ｘ８または８Ｘ４であるならば、前記参照ピクチャリストが双リストであるということを示す情報に対する二進化動作を省略する段階をさらに含んでもよい。
【００１２】
本発明の一実施形態による動き補償方法は、現在スライスがＢスライスである場合、符号化単位に含まれた予測単位のうち現在予測単位が利用する参照ピクチャリストの種類によって示すインター予測インデックス情報を獲得する段階と、前記現在予測単位の大きさが４Ｘ８または８Ｘ４であるならば、Ｌ０リスト及びＬ１リスト中うち一つであるということを示す前記インター予測インデックス情報に基づいて、前記現在予測単位の参照ピクチャリストを決定し、前記現在予測単位の大きさが４Ｘ８または８Ｘ４ではなければ、Ｌ０リスト、Ｌ１リスト及び双リストのうち一つであるということを示す前記インター予測インデックス情報に基づいて、前記現在予測単位の参照ピクチャリストを決定する段階と、を含む。
【００１３】
一実施形態による前記動き補償方法は、前記現在スライスのスライスヘッダから、前記サイズ４Ｘ８またはサイズ８Ｘ４の予測単位に対して、前記双リストを参照するインター予測が許容されるか否かということを示す双予測制限情報をパージングする段階と、前記パージングされた双予測制限情報に基づいて、前記現在スライスで、サイズ４Ｘ８またはサイズ８Ｘ４の予測単位に対して、前記Ｌ０リスト及びＬ１リストを含む前記双リストを参照するインター予測が許容されないか否かということを決定する段階と、をさらに含んでもよい。
【００１４】
一実施形態による前記インター予測インデックス情報を獲得する段階は、前記現在予測単位の大きさが４Ｘ８または８Ｘ４であるならば、前記ビットストリームからパージングされた二進化ビット列から、前記参照ピクチャリストが双リストであるということを示す情報を判読する動作を省略することができる。
【００１５】
一実施形態による前記決定する段階は、前記現在予測単位の大きさが４Ｘ８または８Ｘ４であるならば、前記インター予測インデックス情報から、前記双リストを除いた参照ピクチャリストを判読する段階を含み、前記現在予測単位の大きさが４Ｘ８または８Ｘ４であるならば、前記インター予測インデックス情報が、前記双リストを示すか否かということを確認する動作を省略することができる。
【００１６】
本発明の一実施形態による動き予測装置は、現在スライスがＢスライスである場合、符号化単位に含まれた予測単位のうち現在予測単位が利用する参照ピクチャリストを決定し、前記参照ピクチャリストに属する復元映像のうち、前記現在予測単位のための参照ブロックを決定する動き予測部；及び前記現在予測単位の大きさが４Ｘ８または８Ｘ４であるならば、Ｌ０リスト及びＬ１リストのうち一つを示す前記現在予測単位のインター予測インデックス情報を出力し、前記現在予測単位の大きさが４Ｘ８または８Ｘ４ではなければ、Ｌ０リスト、Ｌ１リスト及び双リストのうち１つの参照ピクチャリストを示す前記現在予測単位のインター予測インデックス情報を出力するインター予測情報出力部；を含む。
【００１７】
本発明の一実施形態による動き補償装置は、現在スライスがＢスライスである場合、符号化単位に含まれた予測単位のうち現在予測単位が利用する参照ピクチャリストの種類によって示すインター予測インデックス情報を獲得するインター予測情報獲得部；及び前記現在予測単位の大きさが４Ｘ８または８Ｘ４であるならば、Ｌ０リスト及びＬ１リストのうち一つであるということを示す前記インター予測インデックス情報に基づいて、前記現在予測単位の参照ピクチャリストを決定し、前記現在予測単位の大きさが４Ｘ８または８Ｘ４ではなければ、Ｌ０リスト、Ｌ１リスト及び双リストのうち一つであるということを示す前記インター予測インデックス情報に基づいて、前記現在予測単位の参照ピクチャリストを決定し、前記決定された参照ピクチャリストを利用して、前記現在予測単位に対して動き補償を行う動き補償部；を含んでもよい。
【００１８】
本発明は、一実施形態による動き予測方法を具現するためのコンピュータプログラムが記録された記録媒体を含む。本発明は、一実施形態による動き補償方法を具現するためのコンピュータプログラムが記録された記録媒体を含む。
【００１９】
以下、図１Ａないし図４を参照し、一実施形態による、単一方向予測または双方向予測が可能な参照映像決定方法及びその装置、それに相応する動き予測方法及びその装置、並びに動き補償方法及びその装置について開示する。また、図５ないし図１７を参照し、一実施形態によるツリー構造の符号化単位に基づく一実施形態によるビデオ符号化装置及びビデオ復号化装置、ビデオ符号化方法及びビデオ復号化方法について開示する。また、図１８ないし図２４を参照して、一実施形態によるよる、ビデオ符号化方法、ビデオ復号化方法が適用可能な多様な実施形態について開示する。以下、「映像」は、ビデオの静止映像や動画、すなわち、ビデオそのものを示すことができる。
【００２０】
図１Ａは、一実施形態による参照映像決定装置１０のブロック図を図示している。図１Ｂは、一実施形態による参照映像決定方法のフローチャートを図示している。
【００２１】
一実施形態による参照映像決定装置１０は、参照ピクチャリスト決定部１２及び参照インデックス決定部１４を含む。
【００２２】
一実施形態による参照映像決定装置１０は、参照ピクチャリスト決定部１２及び参照インデックス決定部１４を総括的に制御する中央プロセッサ（図示せず）を含んでもよい。または、参照ピクチャリスト決定部１２及び参照インデックス決定部１４がそれぞれの自体プロセッサ（図示せず）によって作動し、プロセッサ（図示せず）が相互有機的に作動することにより、参照映像決定装置１０が全体的に作動することもできる。または、一実施形態による参照映像決定装置１０の外部プロセッサ（図示せず）の制御により、参照ピクチャリスト決定部１２及び参照インデックス決定部１４が制御されもする。
【００２３】
一実施形態による参照映像決定装置１０は、参照ピクチャリスト決定部１２及びインター予測部１４の入出力データが保存される一つ以上のデータ保存部（図示せず）を含んでもよい。参照映像決定装置１０は、データ保存部（図示せず）のデータ入出力を管轄するメモリ制御部（図示せず）を含んでもよい。
【００２４】
一実施形態による参照映像決定装置１０は、ビデオの映像に対して、時間的予測のために利用される参照映像を決定する。参照映像決定装置１０は、現在映像と参照映像との位置差、残差成分（residue）などを示す予測情報を決定する。従って、映像の全体データの代わりに、予測情報を利用して、映像情報が記録される。
【００２５】
時間的予測符号化によれば、再生時間上で、前後映像を参照し、現在映像が予測される。再生時間上では、先立っても遅れてもよいが、符号化順序上または復元順序上では、現在映像より先に符号化されたり、あるいは先に復元されたりする映像が、現在映像の予測符号化のために参照される。現在映像及び参照映像は、ピクチャ、フレーム、フィールド、スライスなどを含む映像データ単位でもある。
【００２６】
一実施形態による参照映像決定装置１０は、インター予測の迅速な演算のために、現在映像を多数のブロックに分割し、ブロックに対して、インター予測を行うことができる。すなわち、現在映像が分割された多数のブロックのうち現在ブロックに対するインター予測のために、参照映像が分割された多数のブロックのうち１つのブロックを参照することができる。
【００２７】
Ｂスライスタイプの映像のためのインター予測は、前方予測（forward  prediction）及び後方予測（backward  prediction）を含んでもよい。前方予測では、現在映像よりＰＯＣ（picture  order  count）番号が先立つ映像を参照し、現在映像に対するインター予測が行われる。反対に、後方予測では、現在映像よりＰＯＣ番号が後になる映像を参照し、現在映像に対するインター予測が行われる。
【００２８】
参照ピクチャリストは、参照映像を示すインデックスを含む。一実施形態による参照ピクチャリストは、Ｌ０リスト及びＬ１リストに分類される。Ｌ０リスト、Ｌ１リストは、それぞれ一つ以上の参照映像を示す参照インデックスと、参照順序に係わる情報とを含んでもよい。参照ピクチャリストに割り当てられる参照映像の基本有効個数は、あらかじめ設定される。
【００２９】
例えば、リスト０予測（List  ０  prediction）のためのＬ０リストは、優先的に前方予測のための参照映像を示す参照インデックスを含んでもよい。ただし、Ｌ０リストに設定された参照映像の基本有効個数に比べ、前方予測のための参照映像の個数が少なければ、Ｌ０リストは、後方予測のための参照映像を示す参照インデックスもさらに含んでもよい。
【００３０】
例えば、リスト１予測（List  １  prediction）のためのＬ１リストは、優先的に後方予測のための参照映像を示す参照インデックスを含んでもよい。ただし、Ｌ１リストに設定された参照映像の基本有効個数に比べ、後方予測のための参照映像の個数が少なければ、Ｌ１リストは、前方予測のための参照映像を示す参照インデックスもさらに含んでもよい。
【００３１】
現在映像のインター予測のために、Ｌ０リスト及びＬ１リストのうち少なくともいずれか１つの参照ピクチャリストから参照映像が決定される。一実施形態による参照ピクチャリスト決定部１２は、Ｂスライスタイプの現在映像のインター予測のために、いずれの参照ピクチャリストを利用するかということを決定することができる。
【００３２】
例えば、現在スライスがＬ０リストを利用するか、あるいはＬ１リストを利用するかということが決定される。また、現在スライスのために、Ｌ０リスト及びＬ１リストをいずれも含む双リストを使用する双予測（bi−prediction）が行われもする。
【００３３】
一実施形態による参照映像決定装置１０は、各参照ピクチャリストに割り当てられる参照映像の参照順序を決定することができる。例えば、参照ピクチャリストに割り当てられる参照映像のうち現在映像と、ディスプレイ順序上近い参照映像を優先的に参照するように参照順序が決定される。
【００３４】
一実施形態による参照ピクチャリスト決定部１２は、ブロックを含むスライスのスライスタイプを確認し、スライスタイプによって参照ピクチャリストを決定することができる。
【００３５】
一実施形態による参照ピクチャリスト決定部１２は、スライスが、単一方向予測または双方向予測が可能なＢスライスタイプであるならば、ブロックの参照ピクチャリストをＬ０リスト、Ｌ１リスト及び双リストのうち一つに決定することができる。参照ピクチャリスト決定部１２は、スライスのインター予測のために使用される参照ピクチャリストを決定することができる。参照ピクチャリストは、Ｌ０リスト、Ｌ１リスト及び双リストのうちいずれか一つに決定される。
【００３６】
一実施形態により、ブロックの大きさによって、インター予測のために使用される参照ピクチャリストの種類が制限されもする。例えば、Ｂスライスタイプのブロックの大きさが４ｘ８、８ｘ４である場合には、Ｌ０リスト及びＬ１リストのうち１つの参照ピクチャリストを利用するインター予測だけが許容される。Ｂスライスタイプのブロックに、双リストを利用するインター予測が許容されないのである。
【００３７】
一実施形態による参照インデックス決定部１４は、参照ピクチャリストに基づいて、参照ピクチャリストのうち参照映像を示す参照インデックスを決定することができる。
【００３８】
例えば、参照インデックス決定部１４は、ブロックのための参照インデックスとして、Ｌ０リストのうちＬ０参照インデックスを決定するか、あるいはＬ１リストのうちＬ１参照インデックスを決定することができる。
【００３９】
以下、一実施形態による参照映像決定装置１０が、インター予測のために参照映像を決定する過程について、図１Ｂを参照して記述する。
【００４０】
段階１１で、参照ピクチャリスト決定部１２は、ブロックを含むスライスのスライスタイプを確認することができる。段階１３で、参照ピクチャリスト決定部１２は、現在スライスタイプがＢスライスタイプであるならば、ブロックの参照ピクチャリストをＬ０リスト、Ｌ１リスト及び双リストのうち一つに決定することができる。
【００４１】
段階１５で、参照インデックス決定部１４は、参照ピクチャリスト決定部１２で決定された参照ピクチャリストがＬ１リストではないなら、ブロックのための参照インデックスとして、Ｌ０リストのうちＬ０参照インデックスを決定することができる。すなわち、参照ピクチャリストが、Ｌ０リストまたは双リストである場合、Ｌ０リストのうち少なくとも１つの参照インデックスが選択される。
【００４２】
参照ピクチャリスト決定部１２で決定された参照ピクチャリストが、Ｌ１リストであるならば、Ｌ０参照インデックスを決定せずに、段階１７に進む。
【００４３】
段階１７で、参照インデックス決定部１４は、参照ピクチャリスト決定部１２で決定された参照ピクチャリストがＬ０リストではないならば、ブロックのための参照インデックスとして、Ｌ１リストのうちＬ１参照インデックスを決定することができる。すなわち、参照ピクチャリストが、Ｌ１リストまたは双リストである場合、Ｌ１リストのうち少なくとも１つの参照インデックスが選択される。
【００４４】
従って、参照ピクチャリストが双リストである場合には、段階１５及び１７を介して、Ｌ０リストのうち少なくとも１つのＬ０参照インデックスが決定され、Ｌ１リストのうち少なくとも１つのＬ１参照インデックスが決定される。
【００４５】
段階１５で、参照インデックス決定部１４は、Ｌ０参照インデックスを決定し、Ｌ０参照インデックスが示す参照映像内で、参照ブロックを示す第１動きベクトルの差分値も決定することができる。
【００４６】
段階１７で、参照インデックス決定部１４は、Ｌ１参照インデックスを決定し、Ｌ１参照インデックスが示す参照映像内で、参照ブロックを示す第２動きベクトルの差分値も決定することができる。
【００４７】
参照インデックスは、参照ピクチャリストに属する参照映像間の順序を示し、動きベクトルは、所定参照映像内で、参照ブロックの位置を示すことができる。従って、参照インデックス及び動きベクトルを基に、ブロックのインター予測のための参照映像及び参照ブロックが決定される。
【００４８】
一実施形態による参照映像決定装置１０は、参照ピクチャリストを示す情報として、２ビットのインター予測インデックス情報を利用することができる。
【００４９】
一実施形態による２ビットのインター予測インデックス情報に対して、コンテクスト基盤のエントロピー符号化またはエントロピー復号化を行うために、インター予測インデックス情報を示すシンボルの確率情報を含むコンテクストモデルが利用される。特に、シンボルのビンごとに、コンテクストモデルが決定されるので、インター予測インデックス情報の２ビットに、それぞれ対応する２つのビンについて、コンテクストモデルがそれぞれ決定される。
【００５０】
一実施形態によるインター予測インデックス情報のビンのうち最初のビンは、参照ピクチャリストが、単一リストまたは双リストであるかということを示すことができる。最初のビンが双リストインター予測を示すならば、２番目のビンは、それ以上定義される必要がない。ただし、最初のビンが単一リストを利用するインター予測を示す場合には、２番目のビンは、Ｌ０リストであるか、あるいはＬ１リストであるかということを示すことができる。
【００５１】
一実施形態により、ブロックの大きさが４ｘ８、８ｘ４である場合のように、Ｂスライスタイプのブロックの縦横サイズの和が１２である場合には、双リストを利用するインター予測が許容されないので、ブロックのインター予測インデックス情報は、Ｌ０リストまたはＬ１リストを示すことができる。双リストを除いた参照ピクチャリストだけが、インター予測インデックス情報として決定される。従って、ブロックのインター予測インデックス情報として、Ｌ０リスト予測またはＬ１リスト予測を示すビット列だけが決定され、双予測を示すビット列は決定されない。
【００５２】
Ｂスライスタイプのブロックの縦横サイズの和が１２ではない場合には、ブロックに対して、Ｌ０リスト予測、Ｌ１リスト予測、双予測のうちいずれか一つを示すインター予測インデックス情報が決定される。
【００５３】
以下、図２Ａ及び図２Ｂを参照し、一実施形態による参照映像決定装置１０で決定された参照ピクチャを利用して、動き予測を行う過程について詳細に説明する。また、図３Ａ及び図３Ｂを参照し、一実施形態による参照映像決定装置１０で決定された参照ピクチャを利用して、動き補償を行う過程について詳細に説明する。
【００５４】
図２Ａは、一実施形態による参照映像決定装置１０を含む動き予測装置２０のブロック図を図示している。図２Ｂは、一実施形態による参照映像決定方法を遂行する動き予測方法のフローチャートを図示している。
【００５５】
一実施形態による動き予測装置２０は、動き予測部２２及びインター予測情報出力部２４を含む。
【００５６】
一実施形態による動き予測部２２は、現在ブロックを含む現在スライスのスライスタイプを確認することができる。一実施形態による動き予測部２２は、現在スライスがＢスライスである場合、現在ブロックがインター予測のために利用する参照ピクチャリストを決定することができる。
【００５７】
一実施形態による動き予測部２２は、Ｌ０リスト及びＬ１リストのうち少なくとも一つに属した参照ピクチャを利用して、ブロックに対する動き予測を行うことができる。一実施形態による動き予測部２２は、決定された参照ピクチャリストに割り当てられた参照映像のうち、現在ブロックのための参照ピクチャを決定することができる。
【００５８】
一実施形態による動き予測部１２は、参照ピクチャリストに属する復元映像のうち現在ブロックのための参照ブロックを決定することができる。動き予測部１２は、決定された参照映像のブロックと現在映像の現在ブロックとの類似度を決定し、現在ブロックと誤差が最小であるブロックを検出する。すなわち、動き予測を介して、最も類似したブロックが検出され、検出されたブロックが参照ブロックとして決定される。また、検出された参照ブロックを含むピクチャが、参照ピクチャとして決定される。現在ブロックと最も類似した少なくとも１つの参照ブロックが決定される場合には、少なくとも１つの参照ピクチャが決定されもする。
【００５９】
動き予測部１２は、現在予測単位と前記参照ブロックとの空間距離を示す動きベクトルと、現在予測単位と前記参照ブロックとのピクセル値差を示す残差成分を生成することができる。
【００６０】
一実施形態によるインター予測情報出力部２４は、参照ピクチャリストに属する復元映像のうち参照ブロックを含む復元映像を示す参照インデックス情報、現在予測単位の動きベクトルと以前動きベクトルとの差分を示す動きベクトル差分情報、及び残差成分を出力することができる。
【００６１】
一実施形態によるインター予測情報出力部２４は、現在ブロックのための参照ピクチャリストの種類を示すインター予測インデックス情報を生成して出力することができる。現在ブロックのインター予測のために、Ｌ０リスト、Ｌ１リストまたは双リストが使用されるか否かということを示すインター予測インデックス情報が出力される。
【００６２】
インター予測が行われる現在ブロックを予測単位（prediction  unit）と命名する。段階２１で、動き予測部２２は、符号化単位が含まれた現在スライスがＢスライスである場合、予測単位のうち現在予測単位が利用した参照リストを決定することができる。参照リストは、Ｌ０リスト、Ｌ１リストまたは双リストに決定される。
【００６３】
一実施形態による動き予測部２２は、予測単位の大きさを決定し、予測単位の大きさによって、インター予測のために選択することができる参照ピクチャリストの種類を制限することもできる。
【００６４】
一実施形態により、現在ブロックの大きさが４Ｘ８または８Ｘ４であるならば、現在ブロックのインター予測インデックスは、Ｌ０リスト及びＬ１リストのうち１つの参照ピクチャリストを示すことができる。現在ブロックの大きさが４Ｘ８または８Ｘ４ではなければ、現在ブロックのインター予測インデックスは、Ｌ０リスト、Ｌ１リスト及び双リストのうち１つの参照ピクチャリストを示すことができる。
【００６５】
段階２３で、インター予測情報出力部２４は、現在予測単位のインター予測インデックス情報を出力することができる。
【００６６】
インター予測インデックス情報出力部２４は、ビットストリームのうちブロックの予測情報を含む予測単位フィールドに、Ｌ０予測、Ｌ１方向予測及び双予測のうちいずれか一つを示すインター予測インデックス情報を挿入することができる。
【００６７】
また、インター予測インデックス情報出力部２４は、インター予測インデックス情報がＬ１予測を示していないのであるならば、予測単位フィールドに、Ｌ０参照インデックス情報、及び第１動きベクトルの差分値情報を挿入することができる。
【００６８】
一実施形態による動き予測部２２において、参照ブロック及び参照ピクチャが決定されることにより、参照ピクチャを示す情報、例えば、参照ピクチャリストに属する映像のうち参照ピクチャの番号、すなわち、参照インデックスが決定される。Ｌ０リストに属する参照ピクチャであるならば、Ｌ０参照インデックスが決定され、Ｌ１リストに属する参照ピクチャであるならば、Ｌ１参照インデックスが決定される。一実施形態によるインター予測情報出力部２４は、参照インデックス情報も生成し、予測単位フィールドに挿入することができる。
【００６９】
それにより、一実施形態によるインター予測インデックス情報出力部２４は、インター予測の結果として生成された情報を、スライスヘッダ及び予測単位フィールドに挿入し、スライスヘッダ及び予測単位フィールドを含むビットストリームを伝送することができる。
【００７０】
一実施形態による、インター予測インデックス情報出力部２４は、インター予測インデックス情報の各ビンごとに決定されたコンテクストモデルを利用して、インター予測インデックス情報をエントロピー符号化することができる。インター予測インデックス情報出力部２４は、先のインター予測の結果として生成された各種シンボル、すなわち、インター予測インデックス情報だけではなく、動きベクトルの差分値情報、参照インデックス情報などに対してエントロピー符号化を行って生成されたビット列を伝送することができる。
【００７１】
一実施形態による動き予測部２２は、現在スライスで、サイズ４Ｘ８またはサイズ８Ｘ４の予測単位に対して、Ｌ０リスト及びＬ１リストを含む双リストを参照するインター予測が許容されないか否かということをあらかじめ設定することができる。その場合、インター予測情報出力部２４は、現在スライスのスライスヘッダに、サイズ４Ｘ８またはサイズ８Ｘ４の予測単位について、双リストを参照するインター予測が許容されないということを示す双予測制限情報を挿入することができる。
【００７２】
一実施形態によるインター予測情報出力部２４は、現在予測単位の大きさが４Ｘ８または８Ｘ４であるならば、現在予測単位のための参照ピクチャリストが、双リストを除いた参照ピクチャリストであるということを示すインター予測インデックス情報を出力することができる。従って、インター予測情報出力部２４は、現在予測単位の大きさが４Ｘ８または８Ｘ４であるならば、参照ピクチャリストが双リストであるということを示す情報に対する二進化動作を省略することができる。
【００７３】
エントロピー符号化を介して符号化された予測情報は、ビットストリームのブロック領域に挿入されて伝送される。
【００７４】
図３Ａは、一実施形態による参照映像決定装置１０を含む動き補償装置３０のブロック図を図示している。図３Ｂは、一実施形態による参照映像決定方法を遂行する動き補償方法のフローチャートを図示している。
【００７５】
一実施形態による動き補償装置３０は、インター予測情報獲得部３２及び動き補償部３４を含む。
【００７６】
一般的に、ビデオ符号化過程で、動き予測と動き補償とが行われる。また、ビデオ復号化過程で、動き補償が行われる。原本映像に対する動き予測後、動き補償を介して、原本映像と同一の復元映像を生成するためには、動き予測を介して生成された参照情報と残差成分とを利用して、動き補償が行われなければならない。従って、ビデオ符号化過程及びビデオ復号化過程において、インターモードブロックに対する符号化及び復号化のためには、参照情報（参照インデックス、動きベクトル）及び残差成分に係わる情報が送受信されなければならない。
【００７７】
一実施形態によるインター予測情報獲得部３２は、受信されたビットストリームのうちスライスヘッダから、スライスタイプ情報をパージングすることができる。パージングされたスライスタイプ情報を利用して、現在スライスのスライスタイプが決定される。
【００７８】
一実施形態によるインター予測情報獲得部３２は、符号化単位に含まれた予測単位の大きさに係わる情報を獲得することができる。符号化単位が含まれた現在スライスがＢスライスである場合、予測単位のうち現在予測単位が利用する参照リストの種類を示すインター予測インデックス情報をさらに獲得することができる。
【００７９】
一実施形態による動き補償部３４は、現在予測単位の大きさが４Ｘ８または８Ｘ４であるならば、Ｌ０リスト及びＬ１リストのうち一つであるということを示すインター予測インデックス情報に基づいて、現在予測単位の参照ピクチャリストを決定することができる。一実施形態による動き補償部３４は、現在予測単位の大きさが４Ｘ８または８Ｘ４ではなければ、Ｌ０リスト、Ｌ１リスト及び双リストのうち一つであるということを示すインター予測インデックス情報に基づいて、現在予測単位の参照ピクチャリストを決定することができる。
【００８０】
一実施形態による動き補償部３４は、決定された参照ピクチャリストを利用して、現在予測単位に対して動き補償を行うことができる。
【００８１】
段階３１で、インター予測情報獲得部３２は、符号化単位が含まれた現在スライスがＢスライスである場合、予測単位のうち現在予測単位が利用する参照リストの種類を示すインター予測インデックス情報を獲得することができる。受信されたビットストリームのうち、予測単位フィールドから、現在ブロック（予測単位）の参照ピクチャリストを示すインター予測インデックス情報をパージングすることができる。
【００８２】
段階３３で、一実施形態による動き補償部３４は、現在予測単位の大きさが４Ｘ８または８Ｘ４であるならば、予測単位領域に基づいて、現在インター予測のために利用される参照ピクチャリストが、Ｌ０リストまたはＬ１リストに決定される。
【００８３】
段階３３で、一実施形態による動き補償部３４は、現在予測単位の大きさが、４Ｘ８または８Ｘ４ではなければ、インター予測インデックス情報に基づいて、現在インター予測のために利用される参照ピクチャリストが、Ｌ０リスト、Ｌ１リストまたは双リストのうち一つに決定される。
【００８４】
一実施形態によるインター予測情報獲得部３２は、現在スライスのスライスヘッダから、サイズ４Ｘ８またはサイズ８Ｘ４の予測単位に対して、前記双リストを参照するインター予測が許容されるか否かということを示す双予測制限情報をパージングすることができる。
【００８５】
一実施形態によるインター予測情報獲得部３２は、一実施形態によってパージングされた双予測制限情報に基づいて、現在スライスで、サイズ４Ｘ８またはサイズ８Ｘ４の予測単位に対して双リスト予測を示すインター予測インデックス情報がパージングされるか否かということが予想される。
【００８６】
また、インター予測情報獲得部３２は、パージングされた双予測制限情報に基づいて、予測単位の２ビットのインター予測インデックス情報をパージングするか、あるいは１ビットのインター予測インデックス情報をパージングするかということも決定することができる。
一実施形態により、サイズ４Ｘ８またはサイズ８Ｘ４の予測単位に対して双リスト予測が制限されるならば、一実施形態によるインター予測情報獲得部３２は、現在予測単位の大きさが４Ｘ８または８Ｘ４であるならば、ビットストリームからパージングされた二進化ビット列から、参照ピクチャリストが双リストであるということを示す情報を判読する動作を省略することができる。
【００８７】
従って、一実施形態によるインター予測情報獲得部３２は、現在予測単位の大きさが４Ｘ８または８Ｘ４であるならば、インター予測インデックス情報から双リストを除いた参照ピクチャリストを決定することができる。従って、現在予測単位の大きさが４Ｘ８または８Ｘ４であるならば、インター予測情報獲得部３２は、インター予測インデックス情報が双リストを示すか否かということを確認する動作を省略することができる。
【００８８】
一実施形態によるインター予測情報獲得部３２は、ビットストリームのうちインター予測インデックス情報を含むビット列に対して、各ビンごとに決定されたコンテクストモデルを利用するエントロピー復号化を行い、インター予測インデックス情報を復元することができる。
【００８９】
一実施形態によるインター予測情報獲得部３２は、受信されたビットストリームから、スライスに属したインターモードのブロックごとに、参照インデックス情報、動きベクトルの差分値及び残差成分をパージングすることができる。
【００９０】
一実施形態によるインター予測情報獲得部３２は、インター予測インデックスが示す参照リストに基づいて決定された現在予測単位の参照インデックス、動きベクトル差分情報をさらに獲得することができる。また、符号化単位のパーティションタイプ情報を獲得し、符号化単位の大きさ及びパーティションタイプ情報に基づいて、符号化単位に含まれた予測単位の大きさが決定される。
【００９１】
一実施形態による動き補償部３４は、決定された参照ピクチャリストに基づいて、先に復元された参照映像のうち、現在予測単位の参照インデックスが示す参照映像を決定することができる。一実施形態による動き補償部３４は、参照ピクチャリストのうち参照インデックスが示す参照映像を決定することができる。動きベクトルの差分値及び以前動きベクトルを利用して、現在ブロックの動きベクトルを決定し、参照映像のブロックのうち、動きベクトルが示す参照ブロックが決定される。動き補償部３４は、現在ブロックと参照ブロックと合成し、参照ブロックに残差成分ほど補償することにより、現在ブロックを復元することができる。
【００９２】
従って、一実施形態による動き補償部３４は、ブロックごとに決定された参照ピクチャ、動きベクトル及び残差成分を利用して動き補償を行い、復元映像を生成することもできる。
【００９３】
一実施形態による動き予測装置２０は、映像の全体データの代わりに、予測情報を利用して映像を表現することができるので、ビデオデータ量の節減が必要なビデオ圧縮符号化を行うビデオ符号化に適用される。
【００９４】
具体的に見れば、一実施形態による動き予測装置２０は、ビデオの映像を空間領域別に分割した符号化単位に基づいて、ビデオを符号化するビデオエンコーダに含まれるか、あるいはそれと連繋し、ビデオ符号化のためのインター予測を行うことができる。また符号化単位に対するインター予測のために、符号化単位は、予測単位及びパーティションに分割され、予測単位及びパーティションを基にインター予測が行われる。
【００９５】
一実施形態による符号化単位は、固定的に決定された形態のブロックだけではなく、一実施形態によるツリー構造による符号化単位を含んでもよい。一実施形態により、ツリー構造による符号化単位、並びにそれによる予測単位及びパーティションは、以下、図５ないし図１７を参照して詳細に説明する。
【００９６】
一実施形態による動き予測装置２０は、映像のブロック、符号化単位の映像データに対してインター予測を行い、参照映像に係わる予測誤差、すなわち、残差成分を出力することができる。動き予測装置２０は、残差成分に係わる変換、量子化が量子化された変換係数を生成し、変換係数、参照情報、符号化情報などのシンボルに対してエントロピー符号化を行い、ビットストリームを出力することができる。一実施形態による動き予測装置２０は、各参照ピクチャリストに属する映像の参照順序や映像の個数などに係わる情報を含むＬ０リスト関連情報及びＬ１リスト関連情報、参照ピクチャリストの変更関連情報のような参照ピクチャリスト関連情報を含むシンボルも符号化して出力することができる。
【００９７】
動き予測装置２０は、変換係数に対して、さらに逆量子化、逆変換、予測補償を経て空間領域の映像を復元し、ループフィルタリングを行うことにより、復元映像を生成することもできる。すなわち、一実施形態による動き予測装置２０は、Ｂスライスである現在映像に対してインター予測を行うために、Ｌ０リスト及びＬ１リストのうち少なくとも一つを利用して、ビデオエンコーダによって生成された復元映像を参照することができる。そのように生成された復元映像は、次の入力映像の動き予測のための参照映像に利用されるので、動き予測装置２０は、さらに次の入力映像に対するインター予測を介して、参照情報及び残差成分を決定することができる。
【００９８】
従って、動き予測装置２０の動き予測を経て、ビデオ圧縮符号化が具現される。
【００９９】
一実施形態による動き予測装置２０は、ビデオ符号化結果を出力するために、内部に搭載されたビデオエンコーディングプロセッサまたは外部ビデオエンコーディングプロセッサと連繋して作動することにより、動き予測を含んだビデオ符号化動作を遂行することができる。一実施形態による動き予測装置２０の内部ビデオエンコーディングプロセッサは、別個のプロセッサで具現されもし、中央処理装置、グラフィック演算装置がビデオエンコーディングプロセッシング・モジュールを駆動することにより、基本的なビデオ符号化動作を具現する場合も含んでもよい。
【０１００】
次に、ビデオ復号化過程について述べる。
【０１０１】
一実施形態による動き復元装置３０は、動き予測を介して圧縮されたビットストリームを受信し、映像の全体データの代わりに、予測情報を利用して、映像を復元することができる。
【０１０２】
一実施形態による動き補償装置３０は、ビットストリームのブロック領域から、現在ブロックのための参照ピクチャを示す参照インデックス、動きベクトル及び残差成分をパージングすることができる。
【０１０３】
一実施形態による動き補償装置３０は、ビデオの映像を空間領域別に分割した符号化単位に基づいて、ビデオを復号化するビデオデコーダに含まれるか、あるいはそれと連繋し、ビデオ復号化のための動き補償を行うことができる。また、動き補償のための符号化単位は、予測単位及びパーティションを含み、予測単位及びパーティションを基に、動き補償が行われる。一実施形態による符号化単位は、固定的に決定された形態のブロックだけではなく、一実施形態によるツリー構造による符号化単位を含んでもよいということは、前述の通りある。
【０１０４】
一実施形態による動き補償装置３０は、受信されたビットストリームに対してエントロピー復号化を行い、変換係数、参照情報、符号化情報などのシンボルをパージングすることができる。一実施形態による動き補償装置３０は、参照ピクチャリスト関連情報を含むシンボルもパージングすることができる。
【０１０５】
一実施形態による動き補償装置３０は、変換単位別にパージングされた変換係数に対して、逆量子化及び逆変換を行い、空間領域の残差成分を復元することができる。
【０１０６】
一実施形態による動き補償装置３０は、パーティション別に、参照ブロックに残差成分ほど補償する動き補償を介して、空間領域の映像を復元することができる。一実施形態による動き補償装置３０は、Ｂスライスである現在パーティションに対する動き補償のために、Ｌ０リスト及びＬ１リストのうち少なくとも一つに含まれた先に復元された映像を参照し、参照映像を決定し、参照映像のうち動きベクトルが示す参照ブロックを決定することができる。そのように決定された参照ブロックに残差成分を合算することにより、復元ブロックが生成される。
【０１０７】
一実施形態による動き補償装置３０は、空間領域の復元ブロックに対して、デブロッキング・フィルタリング及びＳＡＯ（sample  adaptive  offset）フィルタリングを行うことにより、復元ブロックと原本ブロックとの誤差を最小化することができる。復元ブロックは、次のブロックの予測のための参照ブロックとして利用される。
【０１０８】
従って、動き補償装置３０の動き補償を経て、ビデオ圧縮復号化が具現される。
【０１０９】
一実施形態による動き補償装置３０は、ビデオ復号化の結果を出力するために、内部に搭載されたビデオデコーディングプロセッサまたは外部ビデオデコーディングプロセッサと連繋して作動することにより、動き補償を含んだビデオ復号化動作を遂行することができる。一実施形態による動き補償装置３０の内部ビデオデコーディングプロセッサは、別個のプロセッサでも具現され、中央処理装置、グラフィック演算装置がビデオデコーディングプロセッシング・モジュールを駆動することにより、基本的なビデオ復号化動作を具現する場合も含んでもよい。
【０１１０】
以下、図４を参照し、一実施形態による動き予測装置２０が伝送し、動き補償装置３０がパージングするインター予測関連情報のシンタックスについて詳細に説明する。
【０１１１】
図４は、イントラ予測インデックス情報の２つの実施形態を図示している。
【０１１２】
現在映像がＢスライスタイプである場合、インター予測インデックス情報inter＿ｐｒｅｄ＿ｉｄｃ  ４５は、Ｂスライスタイプのブロックの参照ピクチャリストが、Ｌ０リスト、Ｌ１リストまたは双リストであるかということを示すことができる。
【０１１３】
ｎＰｂＷとｎＰｂＨは、それぞれ現在予測単位の横と縦との大きさを示す。従って、予測単位の大きさが４ｘ８、８ｘ４のように、予測単位の縦横サイズの和（ｎＰｂＷ＋ｎＰｂＨ）が１２である場合には、Ｂスライスタイプの予測単位に、双リストインター予測が許容されないのである。従って、縦横サイズの和が１２である場合には、Ｂスライスタイプの予測単位に対して、Ｌ０予測Ｐｒｅｄ＿Ｌ０及びＬ１予測Ｐｒｅｄ＿Ｌ１のうちいずれか一つを示すインター予測インデックス情報inter＿ｐｒｅｄ＿ｉｄｃ  ４５が決定される。
【０１１４】
予測単位の縦横サイズの和が１２ではない場合には、Ｌ０予測Ｐｒｅｄ＿Ｌ０、Ｌ１予測Ｐｒｅｄ＿Ｌ１及び双予測Ｐｒｅｄ＿ＢＩのうちいずれか一つを示すインター予測インデックス情報inter＿ｐｒｅｄ＿ｉｄｃ  ４５が決定される。
【０１１５】
従って、動き予測装置２０は、Ｂスライスタイプである現在予測単位の縦横サイズの和が１２ではない場合、ビットストリームのうち予測単位フィールドに、Ｌ０予測Ｐｒｅｄ＿Ｌ０、Ｌ１予測Ｐｒｅｄ＿Ｌ１及び双予測Ｐｒｅｄ＿ＢＩのうちいずれか一つを示すインター予測インデックス情報inter＿ｐｒｅｄ＿ｉｄｃ  ４５を挿入することができる。ただし、現在予測単位の縦横サイズの和が１２である場合には、ビットストリームのうち予測単位フィールドに、Ｌ０予測Ｐｒｅｄ＿Ｌ０、及びＬ１予測Ｐｒｅｄ＿Ｌ１のうちいずれか一つを示すインター予測インデックス情報inter＿ｐｒｅｄ＿ｉｄｃ  ４５を符号化することができる。
【０１１６】
例えば、動き予測装置２０は、Ｂスライスタイプである現在予測単位の縦横サイズの和が１２ではない場合、インター予測インデックス情報inter＿ｐｒｅｄ＿ｉｄｃ  ４５として、Ｌ０予測Ｐｒｅｄ＿Ｌ０を示す「００」、Ｌ１予測Ｐｒｅｄ＿Ｌ１を示す「０１」または双予測Ｐｒｅｄ＿ＢＩを示す「１」を出力することができる。現在予測単位の縦横サイズの和が１２である場合には、インター予測インデックス情報inter＿ｐｒｅｄ＿ｉｄｃ  ４５として、Ｌ０予測Ｐｒｅｄ＿Ｌ０を示す「０」、またはＬ１予測Ｐｒｅｄ＿Ｌ１を示す「１」を出力することができる。
【０１１７】
一実施形態による動き補償装置３０は、ビットストリームの予測単位フィールドから、第２実施形態によるインター予測インデックス情報inter＿ｐｒｅｄ＿ｉｄｃ  ４５をパージングすれば、現在予測単位の縦横サイズの和が１２ではない場合、インター予測インデックス情報inter＿ｐｒｅｄ＿ｉｄｃ  ４５から、Ｌ０予測Ｐｒｅｄ＿Ｌ０、Ｌ１予測Ｐｒｅｄ＿Ｌ１、及び双予測Ｐｒｅｄ＿ＢＩのうちいずれか一つを判読することができる。ただし、現在予測単位の縦横サイズの和が１２である場合には、インター予測インデックス情報inter＿ｐｒｅｄ＿ｉｄｃ  ４５から、Ｌ０予測Ｐｒｅｄ＿Ｌ０、及びＬ１予測Ｐｒｅｄ＿Ｌ１のうちいずれか一つを判読することができる。
【０１１８】
例えば、動き補償装置３０は、Ｂスライスタイプである現在予測単位の縦横サイズの和が１２ではない場合、インター予測インデックス情報inter＿ｐｒｅｄ＿ｉｄｃ  ４５が「００」であるならば、インター予測モードがＬ０予測Ｐｒｅｄ＿Ｌ０と決定し、「０１」であるならば、Ｌ１予測Ｐｒｅｄ＿Ｌ１と決定し、「１」であるならば、双予測Ｐｒｅｄ＿ＢＩと決定することができる。現在予測単位の縦横サイズの和が１２である場合には、インター予測インデックス情報inter＿ｐｒｅｄ＿ｉｄｃ  ４５が「０」であるならば、インター予測モードがＬ０予測Ｐｒｅｄ＿Ｌ０と決定し、「１」であるならば、Ｌ１予測Ｐｒｅｄ＿Ｌ１と決定することができる。
【０１１９】
また、動き補償装置３０は、双予測制限情報に基づいて、現在スライスにおいて、現在予測単位の縦横サイズの和が１２である場合、双リストを利用したインター予測が制限されるか否かということをあらかじめ決定することができる。双予測制限情報に基づいて、予測単位の２ビットのインター予測インデックス情報inter＿ｐｒｅｄ＿ｉｄｃをパージングするか、あるいは１ビットのインター予測インデックス情報inter＿ｐｒｅｄ＿ｉｄｃ  ４５をパージングするか否かということが決定される。縦横サイズの和が１２である現在予測単位について、双リストを利用したインター予測が制限される場合には、現在予測単位のインター予測インデックス情報inter＿ｐｒｅｄ＿ｉｄｃ  ４５として、１ビットがパージングされるが、制限されない場合には、２ビットがパージングされる。
【０１２０】
従って、動き予測装置２０は、予測単位の大きさが４ｘ８または８ｘ４である場合、双方向インター予測のための参照ピクチャリストが双リストであるということを示すシンボルコーディングを省略することができる。不要な参照ピクチャリスト関連情報の伝送過程が省略されるので、伝送ビット量が軽減される。同様に、動き補償装置３０は、予測単位の大きさが４ｘ８または８ｘ４である場合、双方向インター予測のための参照ピクチャリストが双リストであるか否かということを確認する過程が省略されるので、データパージング過程も短縮される。
【０１２１】
以上、図１Ａないし図４を参照して詳細に説明した多様な実施形態による参照映像決定装置１０、動き予測装置２０、動き補償装置３０において、ツリー構造による符号化単位で決定されたパーティション別に、動き予測及び動き補償が行われるということは、前述の通りある。以下、図５ないし図１７を参照し、一実施形態によるツリー構造による符号化単位に基づいたビデオ符号化方法及びビデオ復号化方法について詳細に説明する。
【０１２２】
図５は、本発明の一実施形態による、ツリー構造による符号化単位に基づいたビデオ符号化装置１００のブロック図を図示している。
【０１２３】
一実施形態による、ツリー構造による符号化単位に基づいたビデオ予測を伴うビデオ符号化装置１００は、符号化単位決定部１２０及び出力部１３０を含む。以下、説明の便宜のために、一実施形態による、ツリー構造による符号化単位に基づいたビデオ予測を伴うビデオ符号化装置１００は、「ビデオ符号化装置１００」と縮約する。
【０１２４】
符号化単位決定部１２０は、映像の現在ピクチャのための最大サイズの符号化単位である最大符号化単位に基づいて、現在ピクチャを区画することができる。現在ピクチャが、最大符号化単位より大きければ、現在ピクチャの映像データは、少なくとも１つの最大符号化単位に分割される。一実施形態による最大符号化単位は、サイズ３２ｘ３２，６４ｘ６４，１２８ｘ１２８，２５６ｘ２５６などのデータ単位であり、縦横サイズが２の累乗である正方形のデータ単位でもある。
【０１２５】
一実施形態による符号化単位は、最大サイズ及び最大深度で特徴づけられる。深度とは、最大符号化単位から、符号化単位が空間的に分割された回数を示し、深度が深くなるほど、深度別符号化単位は、最大符号化単位から最小符号化単位まで分割される。最大符号化単位の深度が最上位深度であり、最小符号化単位が最下位符号化単位と定義される。最大符号化単位は、深度が深くなるにつれ、深度別符号化単位の大きさは小さくなるので、上位深度の符号化単位は、複数個の下位深度の符号化単位を含んでもよい。
【０１２６】
前述のように、符号化単位の最大サイズにより、現在ピクチャの映像データを最大符号化単位に分割し、それぞれの最大符号化単位は、深度別に分割される符号化単位を含んでもよい。一実施形態による最大符号化単位は、深度別に分割されるので、最大符号化単位に含まれた空間領域（spatial  domain）の映像データが、深度によって階層的に分類される。
【０１２７】
最大符号化単位の高さ及び幅を階層的に分割することができる総回数を制限する最大深度及び符号化単位の最大サイズがあらかじめ設定されている。
【０１２８】
符号化単位決定部１２０は、深度ごとに、最大符号化単位の領域が分割された少なくとも１つの分割領域を符号化し、少なくとも１つの分割領域別に最終符号化結果が出力される深度を決定する。すなわち、符号化単位決定部１２０は、現在ピクチャの最大符号化単位ごとに、深度別符号化単位で映像データを符号化し、最小の符号化誤差が発生する深度を選択し、符号化深度に決定する。決定された符号化深度及び最大符号化単位別映像データは、出力部１３０に出力される。
【０１２９】
最大符号化単位内の映像データは、最大深度以下の少なくとも１つの深度により、深度別符号化単位に基づいて符号化され、それぞれの深度別符号化単位に基づいた符号化結果が比較される。深度別符号化単位の符号化誤差の比較結果、符号化誤差が最小である深度が選択される。それぞれの最大化符号化単位ごとに、少なくとも１つの符号化深度が決定される。
【０１３０】
最大符号化単位の大きさは、深度が深くなるにつれ、符号化単位が階層的に分割されて分割され、符号化単位の個数は増加する。また、１つの最大符号化単位に含まれる同一深度の符号化単位であるとしても、それぞれのデータに係わる符号化誤差を測定し、下位深度への分割いかんが決定される。従って、１つの最大符号化単位に含まれるデータであるとしても、位置によって、深度別符号化誤差が異なるので、位置によって、符号化深度が異なって決定される。従って、１つの最大符号化単位について、符号化深度が一つ以上設定されもし、最大符号化単位のデータは、一つ以上の符号化深度の符号化単位によって区画される。
【０１３１】
従って、一実施形態による符号化単位決定部１２０は、現在最大符号化単位に含まれるツリー構造による符号化単位が決定される。一実施形態による「ツリー構造による符号化単位」は、現在最大符号化単位に含まれる全ての深度別符号化単位において、符号化深度と決定された深度の符号化単位を含む。符号化深度の符号化単位は、最大符号化単位内で、同一領域では、深度によって階層的に決定され、他の領域については、独立して決定される。同様に、現在領域に係わる符号化深度は、他の領域に係わる符号化深度と独立して決定される。
【０１３２】
一実施形態による最大深度は、最大符号化単位から最小符号化単位までの分割回数と係わる指標である。一実施形態による第１最大深度は、最大符号化単位から最小符号化単位までの全分割回数を示すことができる。一実施形態による第２最大深度は、最大符号化単位から最小符号化単位までの深度レベルの総個数を示すことができる。例えば、最大符号化単位の深度が０であるとするとき、最大符号化単位が１回分割された符号化単位の深度は１に設定され、２回分割された符号化単位の深度が２に設定される。その場合、最大符号化単位から４回分割された符号化単位が最小符号化単位であるならば、深度０，１，２，３及び４の深度レベルが存在するので、第１最大深度は４、第２最大深度は５に設定される。
【０１３３】
最大符号化単位の予測符号化及び変換が行われる。予測符号化及び変換も同様に、最大符号化単位ごとに、最大深度以下の深度ごとに、深度別符号化単位を基に行われる。
【０１３４】
最大符号化単位が深度別に分割されるたびに、深度別符号化単位の個数が増加するので、深度が深くなるにつれて生成される全ての深度別符号化単位について、予測符号化及び変換を含んだ符号化が行われなければならない。以下、説明の便宜のために、少なくとも１つの最大符号化単位のうち現在深度の符号化単位を基に、予測符号化及び変換について説明する。
【０１３５】
一実施形態によるビデオ符号化装置１００は、映像データの符号化のためのデータ単位の大きさまたは形態を多様に選択することができる。映像データの符号化のためには、予測符号化、変換、エントロピー符号化などの段階を経るが、全ての段階にわたって、同一のデータ単位が使用されもし、段階別にデータ単位が変更されもする。
【０１３６】
例えば、ビデオ符号化装置１００は、映像データの符号化のための符号化単位だけではなく、符号化単位の映像データの予測符号化を行うために、符号化単位と異なるデータ単位を選択することができる。
【０１３７】
最大符号化単位の予測符号化のためには、一実施形態による符号化深度の符号化単位、すなわち、それ以上さらに分割されない符号化単位を基に予測符号化が行われる。以下、予測符号化の基になる、それ以上さらに分割されない符号化単位を「予測単位」とする。予測単位が分割されたパーティションは、予測単位、並びに予測単位の高さ及び幅のうち少なくとも一つが分割されたデータ単位を含んでもよい。パーティションは、符号化単位の予測単位が分割された形態のデータ単位であり、予測単位は、符号化単位と同一サイズのパーティションでもある。
【０１３８】
例えば、サイズ２Ｎｘ２Ｎ（ただし、Ｎは正の整数）の符号化単位が、それ以上分割されない場合、サイズ２Ｎｘ２Ｎの予測単位になり、パーティションの大きさは、２Ｎｘ２Ｎ，２ＮｘＮ，Ｎｘ２Ｎ，ＮｘＮなどでもある。一実施形態によるパーティションタイプは、予測単位の高さまたは幅が対称的な比率に分割された対称的パーティションだけではなく、１：ｎまたはｎ：１のように、非対称的な比率に分割されたパーティション、幾何学的な形態に分割されたパーティション、任意的形態のパーティションなどを選択的に含んでもよい。
【０１３９】
予測単位の予測モードは、イントラモード、インターモード及びスキップモードのうち少なくとも一つである。例えば、イントラモード及びインターモードは、２Ｎｘ２Ｎ，２ＮｘＮ，Ｎｘ２Ｎ，ＮｘＮサイズのパーティションに対して行われる。また、スキップモードは、２Ｎｘ２Ｎサイズのパーティションに対してのみ行われる。符号化単位以内の１つの予測単位ごとに、独立して符号化が行われ、符号化誤差が最小である予測モードが選択される。
【０１４０】
また、一実施形態によるビデオ符号化装置１００は、映像データの符号化のための符号化単位だけではなく、符号化単位と異なるデータ単位を基に、符号化単位の映像データの変換を行うことができる。符号化単位の変換のためには、符号化単位より小さいか、あるいはそれと同じである大きさの変換単位を基に変換が行われる。例えば、変換単位は、イントラモードのためのデータ単位、及びインターモードのための変換単位を含んでもよい。
【０１４１】
一実施形態によるツリー構造による符号化単位と類似した方式で、符号化単位内の変換単位も、再帰的にさらに小サイズの変換単位に分割されながら、符号化単位のレジデュアルデータが、変換深度によって、ツリー構造による変換単位によって区画される。
【０１４２】
一実施形態による変換単位についても、符号化単位の高さ及び幅が分割され、変換単位に至るまでの分割回数を示す変換深度が設定される。例えば、サイズ２Ｎｘ２Ｎの現在符号化単位の変換単位の大きさが２Ｎｘ２Ｎであるならば、変換深度０、変換単位の大きさがＮｘＮであるならば、変換深度１、変換単位の大きさがＮ／２ｘＮ／２であるならば、変換深度２に設定される。すなわち、変換単位についても、変換深度によって、ツリー構造による変換単位が設定される。
【０１４３】
符号化深度別符号化情報は、符号化深度だけではなく、予測関連情報及び変換関連情報が必要である。従って、符号化単位決定部１２０は、最小符号化誤差を発生させた符号化深度だけではなく、予測単位をパーティションに分割したパーティションタイプ、予測単位別予測モード、変換のための変換単位の大きさなどを決定することができる。
【０１４４】
一実施形態による最大符号化単位のツリー構造による符号化単位及び予測単位／パーティション、並びに変換単位の決定方式については、図７ないし図１７を参照して詳細に説明する。
【０１４５】
符号化単位決定部１２０は、深度別符号化単位の符号化誤差をラグランジュ乗数（Lagrangian  multiplier）基盤の率・歪曲最適化技法（rate-distortion  optimization）を利用して測定することができる。
【０１４６】
出力部１３０は、符号化単位決定部１２０で決定された少なくとも１つの符号化深度に基づいて、符号化された最大符号化単位の映像データ及び深度別符号化モードについての情報をビットストリーム形態に出力する。
【０１４７】
符号化された映像データは、映像のレジデュアルデータの符号化結果でもある。
【０１４８】
深度別符号化モードについての情報は、符号化深度情報、予測単位のパーティションタイプ情報、予測モード情報、変換単位のサイズ情報などを含んでもよい。
【０１４９】
符号化深度情報は、現在深度で符号化せずに、下位深度の符号化単位で符号化するか否かということを示す深度別分割情報を利用して定義される。現在符号化単位の現在深度が符号化深度であるならば、現在符号化単位は、現在深度の符号化単位で符号化されるので、現在深度の分割情報は、それ以上下位深度に分割されないように定義される。一方、現在符号化単位の現在深度が符号化深度ではないならば、下位深度の符号化単位を利用した符号化を試みなければならないので、現在深度の分割情報は、下位深度の符号化単位に分割されるように定義される。
【０１５０】
現在深度が符号化深度ではないならば、下位深度の符号化単位に分割された符号化単位に対して符号化が行われる。現在深度の符号化単位内に、下位深度の符号化単位が一つ以上存在するので、それぞれの下位深度の符号化単位ごとに、反復して符号化が行われ、同一深度の符号化単位ごとに、再帰的（recursive）符号化が行われる。
【０１５１】
１つの最大符号化単位内で、ツリー構造の符号化単位が決定され、符号化深度の符号化単位ごとに、少なくとも１つの符号化モードについての情報が決定されなければならないので、１つの最大符号化単位については、少なくとも１つの符号化モードについての情報が決定される。また、最大符号化単位のデータは、深度によって階層的に区画され、位置別に符号化深度が異なるので、データについて、符号化深度及び符号化モードについての情報が設定される。
【０１５２】
従って、一実施形態による出力部１３０は、最大符号化単位に含まれている符号化単位、予測単位及び最小単位のうち少なくとも一つについて、当該符号化深度及び符号化モードに係わる符号化情報を割り当てられる。
【０１５３】
一実施形態による最小単位は、最下位符号化深度である最小符号化単位が４分割された大きさの正方形のデータ単位である。一実施形態による最小単位は、最大符号化単位に含まれる全ての符号化単位、予測単位、パーティション単位及び変換単位内に含まれる最大サイズの正方形データ単位でもある。
【０１５４】
例えば、出力部１３０を介して出力される符号化情報は、深度別符号化単位別符号化情報と、予測単位別符号化情報とに分類される。深度別符号化単位別符号化情報は、予測モード情報、パーティションサイズ情報を含んでもよい。予測単位別に伝送される符号化情報は、インターモードの推定方向についての情報、インターモードの参照映像インデックスについての情報、動きベクトルについての情報、イントラモードのクロマ成分についての情報、イントラモードの補間方式についての情報などを含んでもよい。
【０１５５】
ピクチャ別、スライス別またはＧＯＰ（group  of  picture）別に定義される符号化単位の最大サイズについての情報、及び最大深度についての情報は、ビットストリームのヘッダ、シーケンス・パラメータセット（ＳＰＳ）またはピクチャ・パラメータセット（ＰＰＳ）などに挿入される。
【０１５６】
また、現在ビデオについて許容される変換単位の最大サイズについての情報、及び変換単位の最小大きさについての情報も、ビットストリームのヘッダ、シーケンス・パラメータセットまたはピクチャ・パラメータセットなどを介して出力される。出力部１３０は、予測と係わる参照情報、予測情報、スライスタイプ情報などを符号化して出力することができる。
【０１５７】
ビデオ符号化装置１００の最も簡単な形態の実施形態によれば、深度別符号化単位は、１階層上位深度の符号化単位の高さ及び幅を半分にした大きさの符号化単位である。すなわち、現在深度の符号化単位の大きさが２Ｎｘ２Ｎであるならば、下位深度の符号化単位の大きさは、ＮｘＮである。また、２Ｎｘ２Ｎサイズの現在符号化単位は、ＮｘＮサイズの下位深度符号化単位を最大４個含んでもよい。
【０１５８】
従って、ビデオ符号化装置１００は、現在ピクチャの特性を考慮して決定された最大符号化単位の大きさ及び最大深度を基に、それぞれの最大符号化単位ごとに、最適の形態及び大きさの符号化単位を決定し、ツリー構造による符号化単位を構成することができる。また、それぞれの最大符号化単位ごとに、多様な予測モード、変換方式などで符号化することができるので、多様な映像サイズの符号化単位の映像特性を考慮し、最適の符号化モードが決定される。
【０１５９】
従って、映像の解像度が非常に高いか、あるいはデータ量が非常に多い映像を既存マクロブロック単位で符号化するならば、ピクチャ当たりマクロブロックの数が過度に多くなる。それにより、マクロブロックごとに生成される圧縮情報も多くなるので、圧縮情報の伝送負担が大きくなり、データ圧縮効率が低下するという傾向がある。従って、一実施形態によるビデオ符号化装置は、映像の大きさを考慮し、符号化単位の最大サイズを増大させながら、映像特性を考慮し、符号化単位を調節することができるので、映像圧縮効率が上昇する。
【０１６０】
ビデオ符号化装置１００は、図２Ａ及び図２Ｂを参照して説明した動き予測方式により、参照ピクチャリストを決定し、インター予測を行うことができる。
【０１６１】
符号化単位決定部１２０は、最大符号化単位ごとに、ツリー構造による符号化単位別に、インター予測のための予測単位を決定し、予測単位及びそのパーティションごとに、インター予測を行うことができる。
【０１６２】
符号化単位決定部１２０は、ビデオの映像について、時間的予測のために利用される参照映像を決定する。参照映像決定装置１０は、現在映像と周辺映像との時間的距離、残差成分などを示す予測情報を決定する。従って、映像の全体データの代わりに予、測情報を利用して、映像情報が記録される。
【０１６３】
一実施形態による符号化単位決定部１２０は、符号化単位に含まれた予測単位の大きさを決定し、現在予測単位に対して、イントラ予測を行うか、あるいはインター予測を行うかということを決定することができる。現在スライスがＢスライスである場合、現在予測単位のインター予測のために利用する参照リストが決定される。すなわち、参照リストが、Ｌ０リスト、Ｌ１リストまたは双リストであるかということを示すインター予測インデックスが決定される。
【０１６４】
一実施形態によって、現在予測単位の大きさが４Ｘ８または８Ｘ４であるならば、インター予測インデックスは、Ｌ０リスト及びＬ１リストのうち１つの参照ピクチャリストを示すことができる。一実施形態によって、現在予測単位の大きさが４Ｘ８または８Ｘ４ではなければ、インター予測インデックスは、Ｌ０リスト、Ｌ１リスト及び双リストのうち１つの参照ピクチャリストを示すことができる。
【０１６５】
一実施形態による出力部１３０は、現在スライスにおいて、サイズ４Ｘ８またはサイズ８Ｘ４の予測単位に対して、Ｌ０リスト及びＬ１リストを含む双リストを参照するインター予測が許容されないか否かということを示す双予測制限情報を、スライスヘッダに挿入することができる。
【０１６６】
出力部１３０は、現在予測単位の大きさによって決定されたインター予測インデックス情報を、参照インデックス情報、動きベクトル差分情報と共に符号化して出力することができる。
【０１６７】
一実施形態によって、現在予測単位の大きさが４Ｘ８または８Ｘ４であるならば、参照ピクチャリストが双リストであるということを示す情報に対する二進化動作は省略される。
【０１６８】
符号化単位決定部１２０は、現在映像と周辺映像との時間的距離、残差成分などと共に、参照インデックスを示す予測情報を決定する。
【０１６９】
図６は、本発明の一実施形態による、ツリー構造による符号化単位に基づいたビデオ復号化装置２００のブロック図を図示している。
【０１７０】
一実施形態による、ツリー構造による符号化単位に基づいたビデオ予測を伴うビデオ復号化装置２００は、受信部２１０、映像データ及び符号化情報抽出部２２０及び映像データ復号化部２３０を含む。以下、説明の便宜のために、一実施形態による、ツリー構造による符号化単位に基づいたビデオ予測を伴うビデオ復号化装置２００は、「ビデオ復号化装置２００」と縮約する。
【０１７１】
一実施形態によるビデオ復号化装置２００の復号化動作のための符号化単位、深度、予測単位、変換単位、各種符号化モードについての情報など各種用語の定義は、図５、及びビデオ符号化装置１００を参照して説明したところと同一である
受信部２１０は、符号化されたビデオに係わるビットストリームを受信してパージングする。映像データ及び符号化情報抽出部２２０は、パージングされたビットストリームから、最大符号化単位別に、ツリー構造による符号化単位によって、符号化単位ごとに符号化された映像データを抽出し、映像データ復号化部２３０に出力する。映像データ及び符号化情報抽出部２２０は、現在ピクチャに係わるヘッダ、シーケンス・パラメータセットまたはピクチャ・パラメータセットから、現在ピクチャの符号化単位の最大サイズについての情報を抽出することができる。
【０１７２】
また、映像データ及び符号化情報抽出部２２０は、パージングされたビットストリームから、最大符号化単位別に、ツリー構造による符号化単位に係わる符号化深度及び符号化モードについての情報を抽出する。抽出された符号化深度及び符号化モードについての情報は、映像データ復号化部２３０に出力される。すなわち、ビット列の映像データを最大符号化単位に分割し、映像データ復号化部２３０をして、最大符号化単位ごとに映像データを復号化させる。
【０１７３】
最大符号化単位別符号化深度及び符号化モードについての情報は、一つ以上の符号化深度情報について設定され、符号化深度別符号化モードについての情報は、当該符号化単位のパーティションタイプ情報、予測モード情報及び変換単位のサイズ情報などを含んでもよい。また、符号化深度情報として、深度別分割情報が抽出されもする。
【０１７４】
映像データ及び符号化情報抽出部２２０が抽出した最大符号化単位別符号化深度及び符号化モードについての情報は、一実施形態によるビデオ符号化装置１００のように、符号化端で、最大符号化単位別深度別符号化単位ごとに反復して符号化を行い、最小符号化誤差を発生させると決定された符号化深度及び符号化モードについての情報である。従って、ビデオ復号化装置２００は、最小符号化誤差を発生させる符号化方式によって、データを復号化して映像を復元することができる。
【０１７５】
一実施形態による符号化深度及び符号化モードに係わる符号化情報は、当該符号化単位、予測単位及び最小単位のうち所定データ単位について割り当てられているので、映像データ及び符号化情報抽出部２２０は、所定データ単位別に、符号化深度及び符号化モードについての情報を抽出することができる。所定データ単位別に、当該最大符号化単位の符号化深度及び符号化モードについての情報が記録されているならば、同一の符号化深度及び符号化モードについての情報を有している所定データ単位は、同一の最大符号化単位に含まれるデータ単位と類推される。
【０１７６】
映像データ復号化部２３０は、最大符号化単位別符号化深度及び符号化モードについての情報に基づいて、それぞれの最大符号化単位の映像データを復号化し、現在ピクチャを復元する。すなわち、映像データ復号化部２３０は、最大符号化単位に含まれるツリー構造による符号化単位のうちそれぞれの符号化単位ごとに、判読されたパーティションタイプ、予測モード、変換単位に基づいて、符号化された映像データを復号化することができる。復号化過程は、イントラ予測及び動き補償を含む予測過程、及び逆変換過程を含んでもよい。
【０１７７】
映像データ復号化部２３０は、符号化深度別符号化単位の予測単位のパーティションタイプ情報及び予測モード情報に基づいて、符号化単位ごとに、それぞれのパーティション及び予測モードによってイ、ントラ予測または動き補償を行うことができる。
【０１７８】
また、映像データ復号化部２３０は、最大符号化単位別逆変換のために、符号化単位別に、ツリー構造による変換単位情報を判読し、符号化単位ごとに、変換単位に基づいた逆変換を行うことができる。逆変換を介して、符号化単位の空間領域の画素値が復元される。
【０１７９】
映像データ復号化部２３０は、深度別分割情報を利用して、現在最大符号化単位の符号化深度を決定することができる。もし分割情報が、現在深度において、それ以上分割されないということを示しているならば、現在深度が符号化深度である。従って、映像データ復号化部２３０は、現在最大符号化単位の映像データについて、現在深度の符号化単位を、予測単位のパーティションタイプ、予測モード及び変換単位サイズ情報を利用して、復号化することができる。
【０１８０】
すなわち、符号化単位、予測単位及び最小単位のうち所定データ単位について設定されている符号化情報を観察し、同一の分割情報を含んだ符号化情報を保有しているデータ単位が集まり、映像データ復号化部２３０によって同一の符号化モードで復号化する１つのデータ単位と見なされる。そのように決定された符号化単位ごとに、符号化モードに係わる情報を獲得し、現在符号化単位の復号化が行われる。
【０１８１】
また、ビデオ復号化装置２００は、図３Ａ及び図３Ｂを参照して説明した動き補償方式により、参照ピクチャリストのうち参照インデックスを決定し、動き補償を行うことができる。
【０１８２】
一実施形態による抽出部２１０は、現在スライスがＢスライスである場合、ビットストリームから、ブロックの参照ピクチャリストを示すインター予測インデックス情報、参照インデックス、動きベクトルなどをパージングすることができる。インター予測インデックス情報から、現在予測単位が動き補償のために利用する参照リストの種類が決定される。
【０１８３】
映像データ復号化部２３０は、最大符号化単位ごとに、ツリー構造による符号化単位別に、動き補償のための予測単位を決定し、予測単位及びそのパーティションごとに、動き補償を行うことができる。
【０１８４】
映像データ復号化部２３０は、符号化単位に含まれた予測単位を決定しながら、予測単位の大きさを決定することができる。予測単位の大きさに基づいて、インター予測インデックス情報が異なって判読される。
【０１８５】
一実施形態による映像データ復号化部２３０は、現在予測単位の大きさが４Ｘ８または８Ｘ４であるならば、インター予測インデックス情報から、現在予測単位の参照ピクチャリストが、Ｌ０リスト及びＬ１リストのうちいずれか一つであるということを決定することができる。インター予測インデックス情報から双リストを除いた参照ピクチャリストが判読される。
【０１８６】
一実施形態による映像データ復号化部２３０は、現在予測単位の大きさが４Ｘ８または８Ｘ４ではなければ、インター予測インデックス情報から、現在予測単位の参照ピクチャリストが、Ｌ０リスト、Ｌ１リスト及び双リストのうちいずれか一つであるということを決定することができる。
【０１８７】
一実施形態による抽出部２２０は、スライスヘッダから、サイズ４Ｘ８またはサイズ８Ｘ４の予測単位について双リストを参照するインター予測が許容されるか否かということを示す双予測制限情報をパージングすることができる。従って、双予測制限情報に基づいて、現在スライスで、サイズ４Ｘ８またはサイズ８Ｘ４の予測単位について、双リストを参照するインター予測が許容されないか否かということが決定される。また、抽出部２２０は、パージングされた双予測制限情報に基づいて、予測単位の２ビットのインター予測インデックス情報をパージングするか、あるいは１ビットのインター予測インデックス情報をパージングするかということも決定することができる。
【０１８８】
また、一実施形態による抽出部２２０は、現在予測単位の大きさが、４Ｘ８または８Ｘ４であるならば、ビットストリームからパージングされた二進化ビット列から、参照ピクチャリストが双リストであるということを示す情報を判読する動作を省略することができる。
【０１８９】
一実施形態による抽出部２２０は、現在予測単位の大きさが４Ｘ８または８Ｘ４であるならば、インター予測インデックス情報から双リストを除いた参照ピクチャリストを判読することができる。また、抽出部２２０は、現在予測単位の大きさが４Ｘ８または８Ｘ４であるならば、インター予測インデックス情報が双リストを示すか否かということを確認する動作も省略することができる。
【０１９０】
映像データ復号化部２３０は、参照ピクチャリストに属する参照ピクチャのうち、参照インデックスが示す参照ピクチャを決定し、参照ピクチャ内で、動きベクトルが示す参照ブロックを決定することができる。映像データ復号化部２３は、参照ブロックに残差成分を補償することにより、現在ブロックを復元することができる。
【０１９１】
図７は、本発明の一実施形態による符号化単位の概念を図示している。
【０１９２】
符号化単位の例は、符号化単位の大きさは、幅ｘ高さで表現され、サイズ６４ｘ６４である符号化単位から、サイズ３２ｘ３２，１６ｘ１６，８ｘ８を含んでもよい。サイズ６４ｘ６４の符号化単位は、サイズ６４ｘ６４，６４ｘ３２，３２ｘ６４，３２ｘ３２のパーティションに分割され、サイズ３２ｘ３２の符号化単位は、サイズ３２ｘ３２，３２ｘ１６，１６ｘ３２，１６ｘ１６のパーティションに分割され、サイズ１６ｘ１６の符号化単位は、サイズ１６ｘ１６，１６ｘ８，８ｘ１６，８ｘ８のパーティションに分割され、サイズ８ｘ８の符号化単位は、サイズ８ｘ８，８ｘ４，４ｘ８，４ｘ４のパーティションに分割される。
【０１９３】
一実施形態によるインター予測のためのパーティションは、４ｘ４サイズのパーティションを含まないこともある。
【０１９４】
ビデオデータ３１０については、解像度が１９２０ｘ１０８０、符号化単位の最大サイズが６４、最大深度が２に設定されている。ビデオデータ３２０については、解像度が１９２０ｘ１０８０、符号化単位の最大サイズが６４、最大深度が３に設定されている。ビデオデータ３３０については、解像度が３５２ｘ２８８、符号化単位の最大サイズが１６、最大深度が１に設定されている。図７に図示された最大深度は、最大符号化単位から最小符号化単位までの全分割回数を示す。
【０１９５】
解像度が高いか、あるいはデータ量が多い場合、符号化効率の向上だけではなく、映像特性を正確に反映するために、符号化サイズの最大サイズが相対的に大きいことが望ましい。従って、ビデオデータ３３０に比べ、解像度が高いビデオデータ３１０，３２０は、符号化サイズの最大サイズが６４に選択される。
【０１９６】
ビデオデータ３１０の最大深度が２であるので、ビデオデータ３１０の符号化単位３１５は、長軸サイズが６４である最大符号化単位から、２回分割されて深度が２階層深くなり、長軸サイズが３２，１６である符号化単位まで含んでもよい。一方、ビデオデータ３３０の最大深度が１であるので、ビデオデータ３３０の符号化単位３３５は、長軸サイズが１６である符号化単位から、１回分割されて深度が１階層深くなり、長軸サイズが８である符号化単位まで含んでもよい。
【０１９７】
ビデオデータ３２０の最大深度が３であるので、ビデオデータ３２０の符号化単位３２５は、長軸サイズが６４である最大符号化単位から、３回分割されて深度が３階層深くなり、長軸サイズが３２，１６，８である符号化単位まで含んでもよい。深度が深くなるほど、細部情報の表現能が向上する。
【０１９８】
図８は、本発明の一実施形態による符号化単位に基づいた、映像符号化部４００のブロック図を図示している。
【０１９９】
一実施形態による映像符号化部４００は、ビデオ符号化装置１００の符号化単位決定部１２０において、映像データを符号化するのに経る作業を含む。すなわち、イントラ予測部４１０は、現在フレーム４０５において、イントラモードの符号化単位についてイントラ予測を行い、動き推定部４２０及び動き補償部４２５は、インターモードの現在フレーム４０５及び参照フレーム４９５を利用して、インター推定及び動き補償を行う。
【０２００】
イントラ予測部４１０、動き推定部４２０及び動き補償部４２５から出力されたデータは、変換部４３０及び量子化部４４０を経て、量子化された変換係数として出力される。量子化された変換係数は、逆量子化部４６０、逆変換部４７０を介して、空間領域のデータに復元され、復元された空間領域のデータは、デブロッキング部４８０及びオフセット（ＳＡＯ：sample  adaptive  offset）調整部４９０を経て後処理され、参照フレーム４９５として出力される。量子化された変換係数は、エントロピー符号化部４５０を経て、ビットストリーム４５５として出力される。
【０２０１】
一実施形態によるビデオ符号化装置１００に適用されるためには、映像符号化部４００の構成要素である、イントラ予測部４１０、動き推定部４２０、動き補償部４２５、変換部４３０、量子化部４４０、エントロピー符号化部４５０、逆量子化部４６０、逆変換部４７０、デブロッキング部４８０及びオフセット（ＳＡＯ）調整部４９０が、いずれも最大符号化単位ごとに、最大深度を考慮して、ツリー構造による符号化単位のうちそれぞれの符号化単位に基づいた作業を行わなければならない。
【０２０２】
特に、イントラ予測部４１０、動き推定部４２０及び動き補償部４２５は、現在最大符号化単位の最大サイズ及び最大深度を考慮して、ツリー構造による符号化単位のうち、それぞれの符号化単位のパーティション及び予測モードを決定し、変換部４３０は、ツリー構造による符号化単位のうちそれぞれの符号化単位内の変換単位の大きさを決定しなければならない。
【０２０３】
動き推定部４２０及び動き補償部４２５は、図１Ａないし図３Ｂを参照して説明したインター予測方式に基づいて、参照インデックスを決定し、参照ピクチャリストのうち参照インデックスに対応する参照ピクチャを利用して、インター予測を行うことができる。
【０２０４】
図９は、本発明の一実施形態による、符号化単位に基づいた映像復号化部５００のブロック図を図示している。
【０２０５】
ビットストリーム５０５がパージング部５１０を経て、復号化対象である符号化された映像データ及び復号化のために必要な符号化についての情報がパージングされる。符号化された映像データは、エントロピー復号化部５２０及び逆量子化部５３０を経て、逆量子化されたデータとして出力され、逆変換部５４０を経て、空間領域の映像データが復元される。
【０２０６】
空間領域の映像データについて、イントラ予測部５５０は、イントラモードの符号化単位についてイントラ予測を行い、動き補償部５６０は、参照フレーム５８５を共に利用して、インターモードの符号化単位について動き補償を行う。
【０２０７】
イントラ予測部５５０及び動き補償部５６０を経た空間領域のデータは、デブロッキング部５７０及びオフセット（ＳＡＯ）調整部５８０を経て後処理され、復元フレーム５９５として出力される。また、デブロッキング部５７０及びオフセット調整部を経て後処理されたデータは、参照フレーム５８５として出力される。
【０２０８】
ビデオ復号化装置２００の映像データ復号化部２３０において、映像データを復号化するために、一実施形態による映像復号化部５００のパージング部５１０以後の段階別作業が行われる。
【０２０９】
一実施形態によるビデオ復号化装置２００に適用されるためには、映像復号化部５００の構成要素である、パージング部５１０、エントロピー復号化部５２０、逆量子化部５３０、逆変換部５４０、イントラ予測部５５０、動き補償部５６０、デブロッキング部５７０及びオフセット（ＳＡＯ）調整部５８０が、いずれも最大符号化単位ごとに、ツリー構造による符号化単位に基づいて作業を行わなければならない。
【０２１０】
特に、イントラ予測部５５０、動き補償部５６０は、ツリー構造による符号化単位ごとに、それぞれパーティション及び予測モードを決定し、逆変換部５４０は、符号化単位ごとに、変換単位の大きさを決定しなければならない。
【０２１１】
動き補償部５６０は、図１Ａ及び図３Ｂを参照して説明したインター予測方式に基づいて、参照インデックスを決定し、参照ピクチャリストのうち参照インデックスに対応する参照ピクチャを利用して、動き補償を行うことができる。
【０２１２】
図１０は、本発明の一実施形態による、深度別符号化単位及びパーティションを図示している。
【０２１３】
一実施形態によるビデオ符号化装置１００、及び一実施形態によるビデオ復号化装置２００は、映像特性を考慮するために、階層的な符号化単位を使用する。符号化単位の最大高及び最大幅、最大深度は、映像の特性によって適応的に決定され、ユーザの要求によって多様に設定される。既設定の符号化単位の最大サイズにより、深度別符号化単位の大きさが決定される。
【０２１４】
一実施形態による符号化単位の階層構造６００は、符号化単位の最大高及び最大幅が６４であり、最大深度が３である場合を図示している。このとき、最大深度は、最大符号化単位から最小符号化単位までの全分割回数を示す。一実施形態による符号化単位の階層構造６００の縦軸に沿って、深度が深くなるので、深度別符号化単位の高さ及び幅がそれぞれ分割される。また、符号化単位の階層構造６００の横軸に沿って、それぞれの深度別符号化単位の予測符号化の基になる予測単位及びパーティションが図示されている。
【０２１５】
すなわち、符号化単位６１０は、符号化単位の階層構造６００において、最大符号化単位であって深度が０であり、符号化単位の大きさ、すなわち、高さ及び幅が６４ｘ６４である。縦軸に沿って深度が深くなり、サイズ３２ｘ３２である深度１の符号化単位６２０、サイズ１６ｘ１６である深度２の符号化単位６３０、サイズ８ｘ８である深度３の符号化単位６４０が存在する。サイズ４ｘ４である深度３の符号化単位６４０は、最小符号化単位である。
【０２１６】
それぞれの深度別に横軸に沿って、符号化単位の予測単位及びパーティションが配列される。すなわち、深度０のサイズ６４ｘ６４の符号化単位６１０が予測単位であるならば、予測単位は、サイズ６４ｘ６４の符号化単位６１０に含まれるサイズ６４ｘ６４のパーティション６１０、サイズ６４ｘ３２のパーティション６１２、サイズ３２ｘ６４のパーティション６１４、サイズ３２ｘ３２のパーティション６１６に分割される。
【０２１７】
同様に、深度１のサイズ３２ｘ３２の符号化単位６２０の予測単位は、サイズ３２ｘ３２の符号化単位６２０に含まれるサイズ３２ｘ３２のパーティション６２０、サイズ３２ｘ１６のパーティション６２２、サイズ１６ｘ３２のパーティション６２４、サイズ１６ｘ１６のパーティション６２６に分割される。
【０２１８】
同様に、深度２のサイズ１６ｘ１６の符号化単位６３０の予測単位は、サイズ１６ｘ１６の符号化単位６３０に含まれるサイズ１６ｘ１６のパーティション６３０、サイズ１６ｘ８のパーティション６３２、サイズ８ｘ１６のパーティション６３４、サイズ８ｘ８のパーティション６３６に分割される。
【０２１９】
同様に、深度３のサイズ８ｘ８の符号化単位６４０の予測単位は、サイズ８ｘ８の符号化単位６４０に含まれるサイズ８ｘ８のパーティション６４０、サイズ８ｘ４のパーティション６４２、サイズ４ｘ８のパーティション６４４、サイズ４ｘ４のパーティション６４６に分割される。
【０２２０】
一実施形態によるインター予測のためのパーティションは、サイズ４ｘ４のパーティション６４６を含まないこともある。
【０２２１】
一実施形態によるビデオ符号化装置１００の符号化単位決定部１２０は、最大符号化単位６１０の符号化深度を決定するために、最大符号化単位６１０に含まれるそれぞれの深度の符号化単位ごとに符号化を行わなければならない。
【０２２２】
同一の範囲及び大きさのデータを含むための深度別符号化単位の個数は、深度が深くなるほど、深度別符号化単位の個数も増加する。例えば、深度１の符号化単位を一つ含むデータについて、深度２の符号化単位は、四つが必要である。従って、同一のデータの符号化結果を深度別に比較するために、１つの深度１の符号化単位、及び４つの深度２の符号化単位を利用して、それぞれ符号化されなければならない。
【０２２３】
それぞれの深度別符号化のためには、符号化単位の階層構造６００の横軸に沿って、深度別符号化単位の予測単位ごとに符号化を行い、当該深度で最小の符号化誤差である代表符号化誤差が選択される。また、符号化単位の階層構造６００の縦軸に沿って、深度が深くなり、それぞれの深度ごとに符号化を行い、深度別代表符号化誤差を比較し、最小符号化誤差が検索される。最大符号化単位６１０において、最小符号化誤差が発生する深度及びパーティションが、最大符号化単位６１０の符号化深度及びパーティションタイプに選択される。
【０２２４】
図１１は、本発明の一実施形態による、符号化単位及び変換単位の関係を図示している。
【０２２５】
一実施形態によるビデオ符号化装置１００、または一実施形態によるビデオ復号化装置２００は、最大符号化単位ごとに、最大符号化単位より小さいか、あるいはそれと同じ大きさの符号化単位で映像を符号化したり復号化したりする。符号化過程において、変換のための変換単位の大きさは、それぞれの符号化単位ほど大きくないデータ単位を基に選択される。
【０２２６】
例えば、一実施形態によるビデオ符号化装置１００、または一実施形態によるビデオ復号化装置２００で、現在符号化単位７１０が６４ｘ６４サイズであるとき、３２ｘ３２サイズの変換単位７２０を利用して変換が行われる。
【０２２７】
また、６４ｘ６４サイズの符号化単位７１０のデータを、６４ｘ６４サイズ以下の３２ｘ３２，１６ｘ１６，８ｘ８，４ｘ４サイズの変換単位で、それぞれ変換を行って符号化した後、原本との誤差が最小である変換単位が選択される。
【０２２８】
図１２は、本発明の一実施形態による深度別符号化情報を図示している。
【０２２９】
一実施形態によるビデオ符号化装置１００の出力部１３０は、符号化モードについての情報として、それぞれの符号化深度の符号化単位ごとに、パーティションタイプについての情報８００、予測モードについての情報８１０、変換単位サイズに係わる情報８２０を符号化して伝送することができる。
【０２３０】
パーティションタイプに係わる情報８００は、現在符号化単位の予測符号化のためのデータ単位として、現在符号化単位の予測単位が分割されたパーティションの形態に係わる情報を示す。例えば、サイズ２Ｎｘ２Ｎの現在符号化単位ＣＵ＿０は、サイズ２Ｎｘ２Ｎのパーティション８０２、サイズ２ＮｘＮのパーティション８０４、サイズＮｘ２Ｎのパーティション８０６、サイズＮｘＮのパーティション８０８のうちいずれか１つのタイプに分割されて利用される。その場合、現在符号化単位のパーティションタイプについての情報８００は、サイズ２Ｎｘ２Ｎのパーティション８０２、サイズ２ＮｘＮのパーティション８０４、サイズＮｘ２Ｎのパーティション８０６及びサイズＮｘＮのパーティション８０８のうち一つを示すように設定される。
【０２３１】
予測モードについての情報８１０は、それぞれのパーティションの予測モードを示す。例えば、予測モードについての情報８１０を介して、パーティションタイプについての情報８００が示すパーティションが、イントラモード８１２、インターモード８１４及びスキップモード８１６のうち一つで予測符号化が行われるかということが設定される。
【０２３２】
また、変換単位サイズについての情報８２０は、現在符号化単位を、いかなる変換単位を基に変換を行うかということを示す。例えば、変換単位は、第１イントラ変換単位サイズ８２２、第２イントラ変換単位サイズ８２４、第１インター変換単位サイズ８２６、第２インター変換単位サイズ８２８のうち一つである。
【０２３３】
一実施形態によるビデオ復号化装置２００の映像データ及び符号化情報抽出部２１０は、それぞれの深度別符号化単位ごとに、パーティションタイプについての情報８００、予測モードについての情報８１０、変換単位サイズに係わる情報８２０を抽出し、復号化に利用することができる。
【０２３４】
図１３は、本発明の一実施形態による深度別符号化単位を図示している。
【０２３５】
深度の変化を示すために、分割情報が利用される。分割情報は、現在深度の符号化単位が下位深度の符号化単位に分割されるか否かということを示す。
【０２３６】
深度０及び２Ｎ＿０ｘ２Ｎ＿０サイズの符号化単位９００の予測符号化のための予測単位９１０は、２Ｎ＿０ｘ２Ｎ＿０サイズのパーティションタイプ９１２、２Ｎ＿０ｘＮ＿０サイズのパーティションタイプ９１４、Ｎ＿０ｘ２Ｎ＿０サイズのパーティションタイプ９１６、Ｎ＿０ｘＮ＿０サイズのパーティションタイプ９１８を含んでもよい。予測単位が対称的な比率に分割されたパーティション９１２，９１４，９１６，９１８だけが例示されているが、前述のように、パーティションタイプは、それらに限定されるものではなく、非対称的パーティション、任意的形態のパーティション、幾何学的形態のパーティションなどを含んでもよい。
【０２３７】
パーティションタイプごとに、１つの２Ｎ＿０ｘ２Ｎ＿０サイズのパーティション、２つの２Ｎ＿０ｘＮ＿０サイズのパーティション、２つのＮ＿０ｘ２Ｎ＿０サイズのパーティション、４つのＮ＿０ｘＮ＿０サイズのパーティションごとに、反復して予測符号化が行われなければならない。サイズ２Ｎ＿０ｘ２Ｎ＿０、サイズＮ＿０ｘ２Ｎ＿０、サイズ２Ｎ＿０ｘＮ＿０及びサイズＮ＿０ｘＮ＿０のパーティションについては、イントラモード及びインターモードで予測符号化が行われる。スキップモードは、サイズ２Ｎ＿０ｘ２Ｎ＿０のパーティションについてのみ予測符号化が行われる。
【０２３８】
サイズ２Ｎ＿０ｘ２Ｎ＿０，２Ｎ＿０ｘＮ＿０及びＮ＿０ｘ２Ｎ＿０のパーティションタイプ９１２，９１４，９１６のうち一つによる符号化誤差が最小であるならば、それ以上下位深度に分割するは必要ない。
【０２３９】
サイズＮ＿０ｘＮ＿０のパーティションタイプ９１８による符号化誤差が最小であるならば、深度０を１に変更しながら分割し（９２０）、深度２及びサイズＮ＿０ｘＮ＿０のパーティションタイプの符号化単位９３０に対して反復して符号化を行い、最小符号化誤差を検索していくことができる。
【０２４０】
深度１及びサイズ２Ｎ＿１ｘ２Ｎ＿１（＝Ｎ＿０ｘＮ＿０）の符号化単位９３０の予測符号化のための予測単位９４０は、サイズ２Ｎ＿１ｘ２Ｎ＿１のパーティションタイプ９４２、サイズ２Ｎ＿１ｘＮ＿１のパーティションタイプ９４４、サイズＮ＿１ｘ２Ｎ＿１のパーティションタイプ９４６、サイズＮ＿１ｘＮ＿１のパーティションタイプ９４８を含んでもよい。
【０２４１】
また、サイズＮ＿１ｘＮ＿１のパーティションタイプ９４８による符号化誤差が最小であるならば、深度１を深度２に変更しながら分割し（９５０）、深度２及びサイズＮ＿２ｘＮ＿２の符号化単位９６０に対して反復して符号化を行い、最小符号化誤差を検索していくことができる。
【０２４２】
最大深度がｄである場合、深度別符号化単位は、深度ｄ−１になるまで設定され、分割情報は、深度ｄ−２まで設定される。すなわち、深度ｄ−２から分割され（９７０）、深度ｄ−１まで符号化が行われる場合、深度ｄ−１及びサイズ２Ｎ＿（ｄ−１）ｘ２Ｎ＿（ｄ−１）の符号化単位９８０の予測符号化のための予測単位９９０は、サイズ２Ｎ＿（ｄ−１）ｘ２Ｎ＿（ｄ−１）のパーティションタイプ９９２、サイズ２Ｎ＿（ｄ−１）ｘＮ＿（ｄ−１）のパーティションタイプ９９４、サイズＮ＿（ｄ−１）ｘ２Ｎ＿（ｄ−１）のパーティションタイプ９９６、サイズＮ＿（ｄ−１）ｘＮ＿（ｄ−１）のパーティションタイプ９９８を含んでもよい。
【０２４３】
パーティションタイプにおいて、１つのサイズ２Ｎ＿（ｄ−１）ｘ２Ｎ＿（ｄ−１）のパーティション、２つのサイズ２Ｎ＿（ｄ−１）ｘＮ＿（ｄ−１）のパーティション、２つのサイズＮ＿（ｄ−１）ｘ２Ｎ＿（ｄ−１）のパーティション、４つのサイズＮ＿（ｄ−１）ｘＮ＿（ｄ−１）のパーティションごとに、反復して予測符号化を介した符号化が行われ、最小符号化誤差が発生するパーティションタイプが検索される。
【０２４４】
サイズＮ＿（ｄ−１）ｘＮ＿（ｄ−１）のパーティションタイプ９９８による符号化誤差が最小であるとしても、最大深度がｄであるので、深度ｄ−１の符号化単位ＣＵ＿（ｄ−１）は、それ以上下位深度への分割過程を経ず、現在最大符号化単位９００に係わる符号化深度が深度ｄ−１と決定され、パーティションタイプは、Ｎ＿（ｄ−１）ｘＮ＿（ｄ−１）に決定される。また、最大深度がｄであるので、深度ｄ−１の符号化単位９５２については、分割情報が設定されない。
【０２４５】
データ単位９９９は、現在最大符号化単位に係わる「最小単位」とされる。一実施形態による最小単位は、最下位符号化深度である最小符号化単位が４分割された大きさの正方形のデータ単位でもある。このような反復的符号化過程を介して、一実施形態によるビデオ符号化装置１００は、符号化単位９００の深度別符号化誤差を比較し、最小の符号化誤差が発生する深度を選択して符号化深度を決定し、当該パーティションタイプ及び予測モードが符号化深度の符号化モードに設定される。
【０２４６】
このように、深度０、１、…、ｄ−１、ｄの全ての深度別最小符号化誤差を比較し、誤差が最小である深度が選択され、符号化深度に決定される。符号化深度、並びに予測単位のパーティションタイプ及び予測モードは、符号化モードについての情報として符号化されて伝送される。また、深度０から符号化深度に至るまで、符号化単位が分割されなければならないので、符号化深度の分割情報だけが「０」に設定され、符号化深度を除いた深度別分割情報は、「１」に設定されなければならない。
【０２４７】
一実施形態によるビデオ復号化装置２００の映像データ及び符号化情報抽出部２２０は、符号化単位９００に係わる符号化深度及び予測単位についての情報を抽出し、符号化単位９１２を復号化するのに利用することができる。一実施形態によるビデオ復号化装置２００は、深度別分割情報を利用して、分割情報が「０」である深度を符号化深度として把握し、当該深度に係わる符号化モードについての情報を利用して、復号化に利用することができる。
【０２４８】
図１４、図１５及び図１６は、本発明の一実施形態による、符号化単位、予測単位及び変換単位の関係を図示している。
【０２４９】
符号化単位１０１０は、最大符号化単位について一実施形態によるビデオ符号化装置１００が決定した符号化深度別符号化単位である。予測単位１０６０は、符号化単位１０１０において、それぞれの符号化深度別符号化単位の予測単位のパーティションであり、変換単位１０７０は、それぞれの符号化深度別符号化単位の変換単位である。
【０２５０】
深度別符号化単位１０１０は、最大符号化単位の深度が０であるとすれば、符号化単位１０１２，１０５４は、深度が１、符号化単位１０１４，１０１６，１０１８，１０２８，１０５０，１０５２は、深度が２、符号化単位１０２０，１０２２，１０２４，１０２６，１０３０，１０３２，１０４８は、深度が３、符号化単位１０４０，１０４２，１０４４，１０４６は、深度が４である。
【０２５１】
予測単位１０６０において、一部パーティション１０１４，１０１６，１０２２，１０３２，１０４８，１０５０，１０５２，１０５４は、符号化単位が分割された形態である。すなわち、パーティション１０１４，１０２２，１０５０，１０５４は、２ＮｘＮのパーティションタイプであり、パーティション１０１６，１０４８，１０５２は、Ｎｘ２Ｎのパーティションタイプ、パーティション１０３２は、ＮｘＮのパーティションタイプである。深度別符号化単位１０１０の予測単位及びパーティションは、それぞれの符号化単位より小さいか、あるいはそれと同じである。
【０２５２】
変換単位１０７０において、一部変換単位１０５２の映像データについては、符号化単位に比べ、小サイズのデータ単位で変換または逆変換が行われる。また、変換単位１０１４，１０１６，１０２２，１０３２，１０４８，１０５０，１０５２，１０５４は、予測単位１０６０において、当該予測単位及びパーティションと比較すれば、互いに異なる大きさまたは形態のデータ単位である。すなわち、一実施形態によるビデオ符号化装置１００、及び一実施形態に他のビデオ復号化装置２００は、同一の符号化単位に係わるイントラ予測／動き推定／動き補償作業、及び変換／逆変換作業であるとしても、それぞれ別個のデータ単位を基に遂行される。
【０２５３】
それにより、最大符号化単位ごとに、領域別に階層的な構造の符号化単位ごとに、再帰的に符号化が行われ、最適符号化単位が決定されることにより、再帰的ツリー構造による符号化単位が構成される。符号化情報は、符号化単位に係わる分割情報、パーティションタイプ情報、予測モード情報、変換単位サイズ情報を含んでもよい。下記表１は、一実施形態によるビデオ符号化装置１００、及び一実施形態によるビデオ復号化装置２００で設定することができる一例を示す。
【０２５４】
【表１】
2015526012.tif 000003
一実施形態によるビデオ符号化装置１００の出力部１３０は、ツリー構造による符号化単位に係わる符号化情報を出力し、一実施形態によるビデオ復号化装置２００の符号化情報抽出部２２０は、受信されたビットストリームから、ツリー構造による符号化単位に係わる符号化情報を抽出することができる。
【０２５５】
分割情報は、現在符号化単位が、下位深度の符号化単位に分割されるか否かということを示す。現在深度ｄの分割情報が０であるならば、現在符号化単位が、現在符号化単位が下位符号化単位にそれ以上分割されない深度が符号化深度であるので、符号化深度について、パーティションタイプ情報、予測モード、変換単位サイズ情報が定義される。分割情報によって、１段階さらに分割されなければならない場合には、分割された４個の下位深度の符号化単位ごとに、独立して符号化が行われなければならない。
【０２５６】
予測モードは、イントラモード、インターモード及びスキップモードのうち一つで示すことができる。イントラモード及びインターモードは、全てのパーティションタイプで定義され、スキップモードは、パーティションタイプ２Ｎｘ２Ｎでのみ定義される。
【０２５７】
パーティションタイプ情報は、予測単位の高さまたは幅が対称的な比率に分割された対称的パーティションタイプ２Ｎｘ２Ｎ，２ＮｘＮ，Ｎｘ２Ｎ及びＮｘＮと、非対称的な比率に分割された非対称的パーティションタイプ２ＮｘｎＵ，２ＮｘｎＤ，ｎＬｘ２Ｎ，ｎＲｘ２Ｎを示すことができる。非対称的パーティションタイプ２ＮｘｎＵ及び２ＮｘｎＤは、それぞれ高さが１：３及び３：１に分割された形態であり、非対称的パーティションタイプｎＬｘ２Ｎ及びｎＲｘ２Ｎは、それぞれ幅が１：３及び３：１に分割された形態を示す。
【０２５８】
変換単位サイズは、イントラモードで２種の大きさ、インターモードで２種の大きさに設定される。すなわち、変換単位分割情報が０であるならば、変換単位の大きさが、現在符号化単位のサイズ２Ｎｘ２Ｎに設定される。変換単位分割情報が１であるならば、現在符号化単位が分割された大きさの変換単位が設定される。また、サイズ２Ｎｘ２Ｎである現在符号化単位に係わるパーティションタイプが、対称形パーティションタイプであるならば、変換単位の大きさはＮｘＮ、非対称形パーティションタイプであるならば、Ｎ／２ｘＮ／２に設定される。
【０２５９】
一実施形態によるツリー構造による符号化単位の符号化情報は、符号化深度の符号化単位、予測単位及び最小単位単位のうち少なくとも一つに対して割り当てられる。符号化深度の符号化単位は、同一の符号化情報を保有している予測単位及び最小単位を一つ以上含んでもよい。
【０２６０】
従って、隣接したデータ単位同士それぞれ保有している符号化情報を確認すれば、同一の符号化深度の符号化単位に含まれるか否かということが確認される。また、データ単位が保有している符号化情報を利用すれば、当該符号化深度の符号化単位を確認することができるので、最大符号化単位内の符号化深度の分布が類推される。
【０２６１】
従って、その場合、現在符号化単位が周辺データ単位を参照して予測する場合、現在符号化単位に隣接する深度別符号化単位内のデータ単位の符号化情報が直接参照されて利用される。
【０２６２】
他の実施形態で、現在符号化単位が周辺符号化単位を参照して予測符号化が行われる場合、隣接する深度別符号化単位の符号化情報を利用して、深度別符号化単位内で、現在符号化単位に隣接するデータが検索されることにより、周辺符号化単位が参照されもする。
【０２６３】
図１７は、表１の符号化モード情報による、符号化単位、予測単位及び変換単位の関係を図示している。
【０２６４】
最大符号化単位１３００は、符号化深度の符号化単位１３０２，１３０４，１３０６，１３１２，１３１４，１３１６，１３１８を含む。このうち１つの符号化単位１３１８は、符号化深度の符号化単位であるので、分割情報が０に設定される。サイズ２Ｎｘ２Ｎの符号化単位１３１８のパーティションタイプ情報は、パーティションタイプ２Ｎｘ２Ｎ  １３２２，２ＮｘＮ  １３２４，Ｎｘ２Ｎ  １３２６，ＮｘＮ  １３２８，２ＮｘｎＵ  １３３２，２ＮｘｎＤ  １３３４，ｎＬｘ２Ｎ  １３３６及びｎＲｘ２Ｎ  １３３８のうち一つに設定される。
【０２６５】
変換単位分割情報（ＴＵ  size  flag）は、変換インデックスの一種であり、変換インデックスに対応する変換単位の大きさは、符号化単位の予測単位タイプまたはパーティションタイプによって変更される。
【０２６６】
例えば、パーティションタイプ情報が、対称形パーティションタイプ２Ｎｘ２Ｎ  １３２２，２ＮｘＮ  １３２４，Ｎｘ２Ｎ  １３２６及びＮｘＮ  １３２８のうち一つに設定されている場合、変換単位分割情報が０であるならば、サイズ２Ｎｘ２Ｎの変換単位１３４２が設定され、変換単位分割情報が１であるならば、サイズＮｘＮの変換単位１３４４が設定される。
【０２６７】
パーティションタイプ情報が非対称形パーティションタイプ２ＮｘｎＵ  １３３２，２ＮｘｎＤ  １３３４，ｎＬｘ２Ｎ  １３３６及びｎＲｘ２Ｎ  １３３８のうち一つに設定された場合、変換単位分割情報（ＴＵ  size  flag））が０であるならば、サイズ２Ｎｘ２Ｎの変換単位１３５２が設定され、変換単位分割情報が１であるならば、サイズＮ／２ｘＮ／２の変換単位１３５４が設定される。
【０２６８】
図１７を参照して説明した変換単位分割情報（ＴＵ  size  flag）は、０または１の値を有するフラグであるが、一実施形態による変換単位分割情報は、１ビットのフラグに限定されるものではなく、設定によって、０，１、２、３、…などに増やし、変換単位が階層的に分割されもする。変換単位分割情報は、変換インデックスの一実施形態として利用される。
【０２６９】
その場合、一実施形態による変換単位分割情報を、変換単位の最大サイズ、変換単位の最小サイズと共に利用すれば、実際に利用された変換単位の大きさが表現される。一実施形態によるビデオ符号化装置１００は、最大変換単位サイズ情報、最小変換単位サイズ情報及び最大変換単位分割情報を符号化することができる。符号化された最大変換単位サイズ情報、最小変換単位サイズ情報及び最大変換単位分割情報は、ＳＰＳに挿入される。一実施形態によるビデオ復号化装置２００は、最大変換単位サイズ情報、最小変換単位サイズ情報及び最大変換単位分割情報を利用して、ビデオ復号化に利用することができる。
【０２７０】
例えば、（ａ）現在符号化単位がサイズ６４ｘ６４であり、最大変換単位サイズが３２ｘ３２であるならば、（ａ−１）変換単位分割情報が０であるとき、変換単位の大きさは３２ｘ３２、（ａ−２）変換単位分割情報が１であるとき、変換単位の大きさは１６ｘ１６、（ａ−３）変換単位分割情報が２であるとき、変換単位の大きさは８ｘ８に設定される。
【０２７１】
他の例として、（ｂ）現在符号化単位がサイズ３２ｘ３２であり、最小変換単位サイズが３２ｘ３２であるならば、（ｂ−１）変換単位分割情報が０であるとき、変換単位の大きさは３２ｘ３２に設定され、変換単位の大きさは、３２ｘ３２より小さいことがないので、それ以上の変換単位分割情報が設定されることがない。
【０２７２】
さらに他の例で、（ｃ）現在符号化単位がサイズ６４ｘ６４であり、最大変換単位分割情報が１であるならば、変換単位分割情報は、０または１であり、他の変換単位分割情報が設定されることがない。
【０２７３】
従って、最大変換単位分割情報を「MaxTransformSizeIndex」、最小変換単位サイズを「MinTransformSize」、変換単位分割情報が０でる場合の変換単位サイズを「RootTuSize」と定義するとき、現在符号化単位で可能な最小変換単位サイズ「CurrMinTuSize」は、下記数式（１）のように定義される。
【０２７４】
CurrMinTuSize
＝max（MinTransformSize，RootTuSize／（２＾MaxTransformSizeIndex））  （１）
現在符号化単位で可能な最小変換単位サイズ「CurrMinTuSize」と比較し、変換単位分割情報が０である場合の変換単位サイズである「RootTuSize」は、システム上採択可能な最大変換単位サイズを示すことができる。すなわち、数式（１）によれば、「RootTuSize／（２＾MaxTransformSizeIndex）」は、変換単位分割情報が０である場合の変換単位サイズである「RootTuSize」を最大変換単位分割情報に相応する回数ほど分割した変換単位サイズであり、「MinTransformSize」は、最小変換単位サイズであるので、それらのうち小さい値が、現在符号化単位で可能な最小変換単位サイズ「CurrMinTuSize」でもある。
【０２７５】
一実施形態による最大変換単位サイズ「RootTuSize」は、予測モードによって異なる。
【０２７６】
例えば、現在予測モードがインターモードであるならば、「RootTuSize」は、下記数式（２）によって決定される。数式（２）で、「MaxTransformSize」は、最大変換単位サイズ、「PUSize」は、現在予測単位サイズを示す。
【０２７７】
RootTuSize＝min（MaxTransformSize，PUSize）      （２）
すなわち、現在予測モードがインターモードであるならば、変換単位分割情報が０であるの場合の変換単位サイズである「RootTuSize」は、最大変換単位サイズ及び現在予測単位サイズのうち小さい値に設定される。
【０２７８】
現在パーティション単位の予測モードが、イントラモードであるならば、「RootTuSize」は、下記数式（３）によって決定される。「PartitionSize」は、現在パーティション単位の大きさを示す。
【０２７９】
RootTuSize＝min（MaxTransformSize，PartitionSize）      （３）
すなわち、現在予測モードがイントラモードであるならば、変換単位分割情報が０である場合の変換単位サイズである「RootTuSize」は、最大変換単位サイズ、及び現在パーティション単位サイズのうち小さい値に設定される。
【０２８０】
ただし、パーティション単位の予測モードによって変動する一実施形態による現在最大変換単位サイズ「RootTuSize」は、一実施形態であるのみ、現在最大変換単位サイズを決定する要因は、これに限定されるものではないということに留意しなければならない。
【０２８１】
図５ないし図１７を参照して説明したツリー構造の符号化単位に基づいたビデオ符号化技法により、ツリー構造の符号化単位ごとに、空間領域の映像データが符号化され、ツリー構造の符号化単位に基づいたビデオ復号化技法によって、最大符号化単位ごとに、復号化が行われながら、空間領域の映像データが復元され、ピクチャ及びピクチャシーケンスであるビデオが復元される。復元されたビデオは、再生装置によって再生されるか、記録媒体に保存されるか、あるいはネットワークを介して伝送される。
【０２８２】
一方、前述の本発明の実施形態は、コンピュータで実行されるプログラムで作成可能であり、コンピュータで読み取り可能な記録媒体を利用して、前記プログラムを動作させる汎用デジタルコンピュータにおいて具現される。前記コンピュータで読み取り可能な記録媒体は、マグネチック記録媒体（例えば、ＲＯＭ（read  only  memory）、フロッピー（登録商標）ディスク、ハードディスクなど）、光学的判読媒体（例えば、ＣＤ（compact  disc）−ＲＯＭ、ＤＶＤ（digital  versatile  disk）など）のような記録媒体を含む。
【０２８３】
説明の便宜のために、先の図１Ａないし図１７を参照して説明したインター予測方法、動き予測方法、動き補償方法によるビデオ符号化方法は、「本発明のビデオ符号化方法」と通称する。また、先の図１Ａないし図１７を参照して説明したインター予測方法、動き補償方法によるビデオ復号化方法は、「本発明のビデオ復号化方法」と通称する
また、先の図１Ａないし図１７を参照して説明した参照映像決定装置１０、動き予測装置２０、動き補償装置３０、ビデオ符号化装置１００または映像符号化部４００で構成されたビデオ符号化装置は、「本発明のビデオ符号化装置」と通称する。また、先の図１Ａないし図１７を参照して説明した参照映像決定装置１０、動き補償装置３０、ビデオ復号化装置２００または映像復号化部５００で構成されたビデオ復号化装置は、「本発明のビデオ復号化装置」と通称する。
【０２８４】
一実施形態によるプログラムが保存されるコンピュータで読み取り可能な記録媒体がディスク２６０００（図１８）である実施形態について以下で詳細に説明する。
【０２８５】
図１８は、一実施形態によるプログラムが保存されたディスク２６０００の物理的構造を例示している。記録媒体として説明したディスク２６０００は、ハードドライブ、ＣＤ−ＲＯＭディスク、ブルーレイ（登録商標（Blu-ray））ディスク、ＤＶＤディスクでもある。ディスク２６０００は、多数の同心円のトラックＴｒによって構成され、該トラックは、円周方向に沿って所定個数のセクタＳｅに分割される。前述の一実施形態によるプログラムを保存するディスク２６０００において特定領域に、前述の量子化パラメータ決定方法、ビデオ符号化方法及びビデオ復号化方法を具現するためのプログラムが割り当てられて保存される。
【０２８６】
前述のビデオ符号化方法及びビデオ復号化方法を具現するためのプログラムを保存する記録媒体を利用して達成されたコンピュータシステムについて、図１９を参照して説明する。
【０２８７】
図１９は、ディスク２６０００を利用して、プログラムを記録して判読するためのディスクドライブ２６８００を図示している。コンピュータシステム２６７００は、ディスクドライブ２６８００を利用して、本発明のビデオ符号化方法及びビデオ復号化方法のうち少なくとも一つを具現するためのプログラムを、ディスク２６０００に保存することができる。ディスク２６０００に保存されたプログラムを、コンピュータシステム２６７００上で実行するために、ディスクドライブ２６８００によって、ディスク２６０００からプログラムが判読され、プログラムがコンピュータシステム２６７００に伝送される。
【０２８８】
図１８及び図１９で例示されたディスク２６０００だけではなく、メモリカード、ＲＯＭカセット、ＳＳＤ（solid  state  drive）にも、本発明のビデオ符号化方法及びビデオ復号化方法のうち少なくとも一つを具現するためのプログラムが保存される。
【０２８９】
前述の実施形態によるビデオ符号化方法及びビデオ復号化方法が適用されたシステムについて説明する。
【０２９０】
図２０は、コンテンツ流通サービス（content  distribution  service）を提供するためのコンテンツ供給システム（content  supply  system）１１０００の全体的構造を図示している。通信システムのサービス領域は、所定サイズのセルに分割され、各セルに、ベースステーションになる無線基地局１１７００，１１８００，１１９００，１２０００が設けられる。
【０２９１】
コンテンツ供給システム１１０００は、多数の独立デバイスを含む。例えば、コンピュータ１２１００、ＰＤＡ（personal  digital  assistant）１２２００、カメラ１２６００及び携帯電話１２５００のような独立デバイスが、インターネットサービス・プロバイダ１１２００、通信網１１４００、及び無線基地局１１７００，１１８００，１１９００，１２０００を経て、インターネット１１１００に連結される。
【０２９２】
しかし、コンテンツ供給システム１１０００は、図２０に図示された構造だけに限定されるものではなく、デバイスが選択的に連結されるのである。独立デバイスは、無線基地局１１７００，１１８００，１１９００，１２０００を経ずに、通信網１１４００に直接連結されてもよい。
【０２９３】
ビデオカメラ１２３００は、デジタルビデオカメラのように、ビデオ映像を撮影することができる撮像デバイスである。携帯電話１２５００は、ＰＤＣ（personal  digital  communications）方式、ＣＤＭＡ（code  division  multiple  access）方式、Ｗ−ＣＤＭＡ（wideband  code  division  multiple  access）方式、ＧＳＭ（登録商標（global  system  for  mobile  communications））方式及びＰＨＳ（personal  handyphone  system）方式のような多様なプロトコルのうち少なくとも１つの通信方式を採択することができる。
【０２９４】
ビデオカメラ１２３００は、無線基地局１１９００及び通信網１１４００を経て、ストリーミングサーバ１１３００に連結される。ストリーミングサーバ１１３００は、ユーザがビデオカメラ１２３００を使用して伝送したコンテンツを、リアルタイム放送でストリーミング伝送することができる。ビデオカメラ１２３００から受信されたコンテンツは、ビデオカメラ１２３００またはストリーミングサーバ１１３００によって符号化される。ビデオカメラ１２３００で撮影されたビデオデータは、コンピュータ１２１００を経て、ストリーミングサーバ１１３００に伝送される。
【０２９５】
カメラ１２６００で撮影されたビデオデータも、コンピュータ１２１００を経て、ストリーミングサーバ１１３００に伝送される。カメラ１２６００は、デジタルカメラのように、静止映像とビデオ映像とをいずれも撮影することができる撮像装置である。カメラ１２６００から受信されたビデオデータは、カメラ１２６００またはコンピュータ１２１００によって符号化される。ビデオ符号化及びビデオ復号化のためのソフトウェアは、コンピュータ１２１００がアクセスすることができるＣＤ−ＲＯＭディスク、フロッピー（登録商標）ディスク、ハードディスクドライブ、ＳＳＤ、メモリカードのようなコンピュータで読み取り可能な記録媒体に保存される。
【０２９６】
また、携帯電話１２５００に搭載されたカメラによってビデオが撮影された場合、ビデオデータが、携帯電話１２５００から受信される。
【０２９７】
ビデオデータは、ビデオカメラ１２３００、携帯電話１２５００またはカメラ１２６００に搭載されたＬＳＩ（large  scale  integrated  circuit）システムによって符号化される。
【０２９８】
一実施形態によるコンテンツ供給システム１１０００で、例えば、コンサートの現場録画コンテンツのように、ユーザがビデオカメラ１２３００、カメラ１２６００、携帯電話１２５００、または他の撮像デバイスを利用して録画されたコンテンツが符号化され、ストリーミングサーバ１１３００に伝送される。ストリーミングサーバ１１３００は、コンテンツデータを要請した他のクライアントに、コンテンツデータをストリーミング伝送することができる。
【０２９９】
クライアントは、符号化されたコンテンツデータを復号化することができるデバイスであり、例えば、コンピュータ１２１００、ＰＤＡ  １２２００、ビデオカメラ１２３００または携帯電話１２５００でもある。従って、コンテンツ供給システム１１０００は、クライアントをして、符号化されたコンテンツデータを受信して再生させる。また、コンテンツ供給システム１１０００は、クライアントが符号化されたコンテンツデータを受信し、リアルタイムで復号化して再生するようにし、個人放送（personal  broadcasting）を可能にする。
【０３００】
コンテンツ供給システム１１０００に含まれた独立デバイスの符号化動作及び復号化動作に、本発明のビデオ符号化装置及びビデオ復号化装置が適用される。
【０３０１】
図２１及び図２２を参照し、コンテンツ供給システム１１０００において、携帯電話１２５００の一実施形態について詳細に説明する。
【０３０２】
図２１は、一実施形態による、本発明のビデオ符号化方法及びビデオ復号化方法が適用される携帯電話１２５００の外部構造を図示している。携帯電話１２５００は、機能が制限されておらず、応用プログラムを介して、相当部分の機能を変更するか、あるいは拡張することができるスマートフォンでもある。
【０３０３】
携帯電話１２５００は、無線基地局１２０００と、ＲＦ（radio  frequency）信号を交換するための内蔵アンテナ１２５１０を含み、カメラ１２５３０によって撮影された映像、またはアンテナ１２５１０によって受信されて復号化された映像をディスプレイするためのＬＣＤ（liquid  crystal  display）、ＯＬＥＤ（organic  light  emitting  diodes）画面のようなディスプレイ画面１２５２０を含む。スマートフォン１２５１０は、制御ボタン、タッチパネルを含む動作パネル１２５４０を含む。ディスプレイ画面１２５２０がタッチスクリーンである場合、動作パネル１２５４０は、ディスプレイ画面１２５２０のタッチ感知パネルをさらに含む。スマートフォン１２５１０は、音声、音響を出力するためのスピーカ１２５８０、または他の形態の音響出力部；及び音声、音響が入力されるマイクロフォン１２５５０、または他の形態の音響入力部；を含む。スマートフォン１２５１０は、ビデオ及び静止映像を撮影するためのＣＣＤ（charge  coupled  device）カメラのようなカメラ１２５３０をさらに含む。また、スマートフォン１２５１０は、カメラ１２５３０によって撮影されたり、電子メール（Ｅ−mail）でもって受信されたり、あるいは他の形態でに獲得されたビデオや静止映像のように、符号化されたり、あるいは復号化されたするデータを保存するための記録媒体１２５７０；及び記録媒体１２５７０を、携帯電話１２５００に装着するためのスロット１２５６０；を含んでもよい。記録媒体１２５７０は、ＳＤカード、またはプラスチックケースに内蔵されたＥＥＰＲＯＭ（electrically  erasable  and  programmable  read  only  memory）のような他の形態のフラッシュメモリでもある。
【０３０４】
図２２は、携帯電話１２５００の内部構造を図示している。ディスプレイ画面１２５２０及び動作パネル１２５４０で構成された携帯電話１２５００の各パートを組織的に制御するために、電力供給回路１２７００、動作入力制御部１２６４０、映像符号化部１２７２０、カメラ・インターフェース１２６３０、ＬＣＤ制御部１２６２０、映像復号化部１２６９０、マルチプレクサ／デマルチプレクサ（ＭＵＸ／ＤＥＭＵＸ：multiplexer／demultiplexer）１２６８０、記録／判読部１２６７０、変調／復調（modulation／demodulation）部１２６６０及び音響処理部１２６５０が、同期化バス１２７３０を介して中央制御部１２７１０に連結される。
【０３０５】
ユーザが電源ボタンを動作し、「電源オフ」状態から「電源オン」状態に設定すれば、電力供給回路１２７００は、バッテリパックから、携帯電話１２５００の各パートに全力を供給することにより、携帯電話１２５００が動作モードにセッティングされる。
【０３０６】
中央制御部１２７１０は、ＣＰＵ（central  processing  unit）、ＲＯＭ及びＲＡＭ（random  access  memory）を含む。
【０３０７】
携帯電話１２５００が外部に通信データを送信する過程では、中央制御部１２７１０の制御によって、携帯電話１２５００において、デジタル信号が生成される、例えば、音響処理部１２６５０では、デジタル音響信号が生成され、映像符号化部１２７２０では、デジタル映像信号が生成され、動作パネル１２５４０及び動作入力制御部１２６４０を介して、メッセージのテキストデータが生成される。中央制御部１２７１０の制御によって、デジタル信号が変調／復調部１２６６０に伝達されれば、変調／復調部１２６６０は、デジタル信号の周波数帯域を変調し、通信回路１２６１０は、帯域変調されたデジタル音響信号に対して、Ｄ／Ａ変換（digital−analog  conversion）処理及び周波数変換（frequency  conversion）処理を行う。通信回路１２６１０から出力された送信信号は、アンテナ１２５１０を介して、音声通信基地局または無線基地局１２０００に送出される。
【０３０８】
例えば、携帯電話１２５００が通話モードであるとき、マイクロフォン１２５５０によって獲得された音響信号は、中央制御部１２７１０の制御によって、音響処理部１２６５０でデジタル音響信号に変換される。生成されたデジタル音響信号は、変調／復調部１２６６０及び通信回路１２６１０を経て、送信信号に変換され、アンテナ１２５１０を介して送出される。
【０３０９】
データ通信モードにおいて、電子メールのようなテキストメッセージが伝送される場合、動作パネル１２５４０を利用して、メッセージのテキストデータが入力され、テキストデータが、動作入力制御部１２６４０を介して、中央制御部１２６１０に伝送される。中央制御部１２６１０の制御により、テキストデータは、変調／復調部１２６６０及び通信回路１２６１０を介して送信信号に変換され、アンテナ１２５１０を介して、無線基地局１２０００に送出される。
【０３１０】
データ通信モードで映像データを伝送するために、カメラ１２５３０によって撮影された映像データが、カメラ・インターフェース１２６３０を介して、映像符号化部１２７２０に提供される。カメラ１２５３０によって撮影された映像データは、カメラ・インターフェース１２６３０及びＬＣＤ制御部１２６２０を介して、ディスプレイ画面１２５２０で直ちにディスプレイされる。
【０３１１】
映像符号化部１２７２０の構造は、前述の本発明のビデオ符号化装置の構造と相応する。映像符号化部１２７２０は、カメラ１２５３０から提供された映像データを、前述の本発明のビデオ符号化方式によって符号化し、圧縮符号化された映像データに変換して、符号化された映像データを、多重化／逆多重化部１２６８０に出力する。カメラ１２５３０の録画中に、携帯電話１２５００のマイクロフォン１２５５０によって獲得された音響信号も、音響処理部１２６５０を経て、デジタル音響データに変換され、デジタル音響データは、多重化／逆多重化部１２６８０に伝達される。
【０３１２】
多重化／逆多重化部１２６８０は、音響処理部１２６５０から提供された音響データと共に、映像符号化部１２７２０から提供された符号化された映像データを多重化する。多重化されたデータは、変調／復調部１２６６０及び通信回路１２６１０を介して、送信信号に変換され、アンテナ１２５１０を介して送出される。
【０３１３】
携帯電話１２５００が外部から通信データを受信する過程では、アンテナ１２５１０を介して受信された信号に対して、周波数復元（frequency  recovery）処理及びＡ／Ｄ変換（analog−digital  conversion）処理を介して、デジタル信号を変換する。変調／復調部１２６６０は、デジタル信号の周波数帯域を復調する。帯域復調されたデジタル信号は、種類によって、ビデオ復号化部１２６９０、音響処理部１２６５０またはＬＣＤ制御部１２６２０に伝達される。
【０３１４】
携帯電話１２５００は、通話モードであるとき、アンテナ１２５１０を介して受信された信号を増幅し、周波数変換処理及びＡ／Ｄ変換（analog−digital  conversion）処理を介してデジタル音響信号を生成する。受信されたデジタル音響信号は、中央制御部１２７１０の制御によって、変調／復調部１２６６０及び音響処理部１２６５０を経て、アナログ音響信号に変換され、アナログ音響信号がスピーカ１２５８０を介して出力される。
【０３１５】
データ通信モードで、インターネットのウェブサイトからアクセスされたビデオファイルのデータが受信される場合、アンテナ１２５１０を介して、無線基地局１２０００から受信された信号は、変調／復調部１２６６０の処理結果、多重化されたデータを出力し、多重化されたデータは、多重化／逆多重化部１２６８０に伝達される。
【０３１６】
アンテナ１２５１０を介して受信した多重化されたデータを復号化するために、多重化／逆多重化部１２６８０は、多重化されたデータを逆多重化し、符号化されたビデオデータストリームと、符号化されたオーディオデータストリームとを分離する。同期化バス１２７３０により、符号化されたビデオデータストリームは、ビデオ復号化部１２６９０に提供され、符号化されたオーディオデータストリームは、音響処理部１２６５０に提供される。
【０３１７】
映像復号化部１２６９０の構造は、前述の本発明のビデオ復号化装置の構造と相応する。映像復号化部１２６９０は、前述の本発明のビデオ復号化方法を利用して、符号化されたビデオデータを復号化し、復元されたビデオデータを生成し、復元されたビデオデータを、ＬＣＤ制御部１２６２を経て、ディスプレイ画面１２５２に、復元されたビデオデータを提供することができる。
【０３１８】
それにより、インターネットのウェブサイトからアクセスされたビデオファイルのビデオデータが、ディスプレイ画面１２５２でディスプレイされる。それと同時に、音響処理部１２６５も、オーディオデータをアナログ音響信号に変換し、アナログ音響信号をスピーカ１２５８に提供することができる。それにより、インターネットのウェブサイトからアクセスされた、ビデオファイルに含まれたオーディオデータも、スピーカ１２５８で再生される。
【０３１９】
携帯電話１２５００、または他の形態の通信端末機は、本発明のビデオ符号化装置及びビデオ復号化装置をいずれも含む送受信端末機であるか、前述の本発明のビデオ符号化装置のみを含む送信端末機であるか、あるいは本発明のビデオ復号化装置のみを含む受信端末機でもある。
【０３２０】
本発明の通信システムは、図２０を参照して説明した構造に限定されるものではない。例えば、図２３は、本発明による通信システムが適用されたデジタル放送システムを図示している。図２３の一実施形態によるデジタル放送システムは、本発明のビデオ符号化装置及びビデオ復号化装置を利用して、衛星ネットワークまたは地上波ネットワークを介して伝送されるデジタル放送を受信することができる。
【０３２１】
具体的に説明すれば、放送局１２８９０は、電波を介して、ビデオデータストリームを、通信衛星または放送衛星１２９００に伝送する。放送衛星１２９００は、放送信号を伝送し、放送信号は、家庭にあるアンテナ１２８６０によって、衛星放送受信機に受信される。各家庭で、符号化されたビデオストリームは、ＴＶ（television）受信機１２８１０、セットトップボックス（set-top  box）１２８７０または他のデバイスによって復号化されて再生される。
【０３２２】
再生装置１２８３０において、本発明のビデオ復号化装置が具現されることにより、再生装置１２８３０が、ディスク及びメモリカードのような記録媒体１２８２０に記録された符号化されたビデオストリームを判読して復号化することができる。それにより、復元されたビデオ信号は、例えば、モニタ１２８４０で再生される。
【０３２３】
衛星／地上波放送のためのアンテナ１２８６０、またはケーブルＴＶ受信のためのケーブルアンテナ１２８５０に連結されたセットトップボックス１２８７０にも、本発明のビデオ復号化装置が搭載される。セットトップボックス１２８７０の出力データも、ＴＶモニタ１２８８０で再生される。
【０３２４】
他の例として、セットトップボックス１２８７０の代わりに、ＴＶ受信機１２８１０自体に、本発明のビデオ復号化装置が搭載されもする。
【０３２５】
適切なアンテナ１２９１０を具備した自動車１２９２０が、衛星１２８００または無線基地局１１７００（図２０）から送出される信号を受信することもできる。自動車１２９２０に搭載された自動車ナビゲーションシステム１２９３０のディスプレイ画面に、復号化されたビデオが再生される。
【０３２６】
ビデオ信号は、本発明のビデオ符号化装置によって符号化されて記録媒体に記録されて保存される。具体的に説明すれば、ＤＶＤレコーダによって、映像信号がＤＶＤディスク１２９６０に保存されるか、あるいはハードディスクレコーダ１２９５０によって、ハードディスクに映像信号が保存される。他の例として、ビデオ信号は、ＳＤカード１２９７０に保存されもする。ハードディスクレコーダ１２９５０が、一実施形態による本発明のビデオ復号化装置を具備すれば、ＤＶＤディスク１２９６０、ＳＤカード１２９７０、または他の形態の記録媒体に記録されたビデオ信号がモニタ１２８８０で再生される。
【０３２７】
自動車ナビゲーションシステム１２９３０は、図２２のカメラ１２５３０、カメラ・インターフェース１２６３０及び映像符号化部１２７２０を含まないこともある。例えば、コンピュータ１２１００（図２０）及びＴＶ受信機１２８１０も、図２２のカメラ１２５３０、カメラ・インターフェース１２６３０及び映像符号化部１２７２０を含まないこともある。
【０３２８】
図２４は、本発明の一実施形態による、ビデオ符号化装置及びビデオ復号化装置を利用するクラウドコンピューティングシステムのネットワーク構造を図示している。
【０３２９】
本発明のクラウドコンピューティングシステムは、クラウドコンピューディングサーバ１４１００、ユーザＤＢ（database）１４１００、コンピューティング資源１４２００及びユーザ端末機を含んでなる。
【０３３０】
クラウドコンピューティングシステムは、ユーザ端末機の要請によって、インターネットのような情報通信網を介して、コンピューティング資源のオンデマンド・アウトソーシングサービスを提供する。クラウドコンピューティング環境で、サービスプロバイダは、互いに異なる物理的な位置に存在するデータセンターのコンピューティング資源を仮想化技術で統合し、ユーザが必要とするサービスを提供する。サービスユーザは、アプリケーション（application）、ストレージ（storage）、運用体制（ＯＳ）、保安（security）などのコンピューティング資源を、各ユーザ所有の端末にインストールして使用するのではなく、仮想化技術を介して生成された仮想空間上のサービスを、所望時点で所望程度ほど選んで使用することができる。
【０３３１】
特定サービスユーザのユーザ端末機は、インターネット、及び移動通信網を含む情報通信網を介して、クラウドコンピューディングサーバ１４１００に接続する。ユーザ端末機は、クラウドコンピューディングサーバ１４１００から、クラウドコンピューティングサービス、特に、動画再生サービスを提供される。ユーザ端末機は、デストトップＰＣ（personal  computer）１４３００、スマートＴＶ  １４４００、スマートフォン１４５００、ノート型パソコン１４６００、ＰＭＰ（portable  multimedia  player）１４７００、テブレットＰＣ  １４８００など、インターネット接続が可能な全ての電子機器になる。
【０３３２】
クラウドコンピューディングサーバ１４１００は、クラウド網に分散している多数のコンピューティング資源１４２００を統合し、ユーザ端末機に提供することができる。多数のコンピューティング資源１４２００は、さまざまなデータサービスを含み、ユーザ端末機からアップロードされたデータを含んでもよい。そのように、クラウドコンピューディングサーバ１４１００は、さまざまなところに分散している動画データベースを仮想化技術で統合し、ユーザ端末機が要求するサービスを提供する。
【０３３３】
ユーザＤＢ  １４１００には、クラウドコンピューティングサービスに加入しているユーザ情報が保存される。ここで、ユーザ情報は、ログイン情報；及び住所、氏名のような個人信用情報；を含んでもよい。また、ユーザ情報は、動画のインデックス（index）を含んでもよい。ここで、インデックスは、再生を完了した動画リストや、再生中の動画リストや、再生中の動画の停止時点などを含んでもよい。
【０３３４】
ユーザＤＢ  １４１００に保存された動画に係わる情報は、ユーザデバイス間に共有される。従って、例えば、ノート型パソコン１４６００から再生要請され、ノート型パソコン１４６００に所定動画サービスを提供した場合、ユーザＤＢ  １４１００に、所定動画サービスの再生ヒストリーが保存される。スマートフォン１４５００から、同一動画サービスの再生要請が受信される場合、クラウドコンピューディングサーバ１４１００は、ユーザＤＢ  １４１００を参照し、所定動画サービスを探して再生する。スマートフォン１４５００が、クラウドコンピューディングサーバ１４１００を介して、動画データストリームを受信する場合、動画データストリームを復号化してビデオを再生する動作は、先の図２１を参照して説明した携帯電話１２５００の動作と類似している。
【０３３５】
クラウドコンピューディングサーバ１４１００は、ユーザＤＢ  １４１００に保存された所定動画サービスの再生ヒストリーを参照することもできる。例えば、クラウドコンピューディングサーバ１４１００は、ユーザ端末機から、ユーザＤＢ  １４１００に保存された動画に対する再生要請を受信する。動画が、それ以前に再生中であったならば、、クラウドコンピューディングサーバ１４１００は、ユーザ端末機からの選択により、始めから再生するか、あるいは以前停止時点から再生するかということにより、ストリーミング方法が異なる。例えば、ユーザ端末機が、始めから再生するように要請した場合には、クラウドコンピューディングサーバ１４１００は、ユーザ端末機に、当該動画を最初のフレームからストリーミング伝送する。一方、該端末機が、以前停止時点から、続けて再生するように要請した場合には、クラウドコンピューディングサーバ１４１００は、ユーザ端末機に、当該動画を、停止時点のフレームからストリーミング伝送する。
【０３３６】
このとき、ユーザ端末機は、図１Ａないし図１７を参照して説明した本発明のビデオ復号化装置を含んでもよい。他の例として、ユーザ端末機は、図１Ａないし図１７を参照して説明した本発明のビデオ符号化装置を含んでもよい。また、ユーザ端末機は、図１Ａないし図１７を参照して説明した本発明のビデオ符号化装置及びビデオ復号化装置をいずれも含んでもよい。
【０３３７】
図１Ａないし図１７を参照して説明した、本発明のビデオ符号化方法及びビデオ復号化方法、本発明のビデオ符号化装置及びビデオ復号化装置が活用される多様な実施形態について、図１８ないし図２４において説明した。しかし、図１Ａないし図１７を参照して説明した、本発明のビデオ符号化方法及びビデオ復号化方法が、記録媒体に保存されたり、あるいは本発明のビデオ符号化装置及びビデオ復号化装置がデバイスで具現されるたりする多様な実施形態は、図１８ないし図２４の実施形態に限定されるものではない。
【０３３８】
以上、本発明について、その望ましい実施形態を中心に説明した。本発明が属する技術分野で当業者であるならば、本発明が、本発明の本質的な特性から外れない範囲で変形された形態に具現されるということを理解するであろう。従って、開示された実施形態は、限定的な観点ではなく、説明的な観点から考慮されなければならない。本発明の範囲は、前述の説明ではなく、特許請求の範囲に示されており、それと同等な範囲内にある全ての差異は、本発明に含まれたものであると解釈されなければならないのである。
【図１Ａ】
2015526012.tif 000004
【図１Ｂ】
2015526012.tif 000005
【図２Ａ】
2015526012.tif 000006
【図２Ｂ】
2015526012.tif 000007
【図３Ａ】
2015526012.tif 000008
【図３Ｂ】
2015526012.tif 000009
【図４】
2015526012.tif 000010
【図５】
2015526012.tif 000011
【図６】
2015526012.tif 000012
【図７】
2015526012.tif 000013
【図８】
2015526012.tif 000014
【図９】
2015526012.tif 000015
【図１０】
2015526012.tif 000016
【図１１】
2015526012.tif 000017
【図１２】
2015526012.tif 000018
【図１３】
2015526012.tif 000019
【図１４】
2015526012.tif 000020
【図１５】
2015526012.tif 000021
【図１６】
2015526012.tif 000022
【図１７】
2015526012.tif 000023
【図１８】
2015526012.tif 000024
【図１９】
2015526012.tif 000025
【図２０】
2015526012.tif 000026
【図２１】
2015526012.tif 000027
【図２２】
2015526012.tif 000028
【図２３】
2015526012.tif 000029
【図２４】
2015526012.tif 000030
【国際調査報告】
2015526012.tif 000031
2015526012.tif 000032
2015526012.tif 000033
2015526012.tif 000034
2015526012.tif 000035
2015526012.tif 000036
2015526012.tif 000037
2015526012.tif 000038
2015526012.tif 000039
2015526012.tif 000040
2015526012.tif 000041
2015526012.tif 000042